(57)【要約】  無線デバイス（ＷＤ）によって実施される方法が、制御メッセージを受信することを含む。制御メッセージは、ダウンリンク共有チャネルのための少なくとも変調符号化方式（ＭＣＳ）およびスケーリングファクタを指示する。スケーリングファクタは、１よりも小さい値を指示する。本方法は、制御メッセージ中で指示されたＭＣＳおよびスケーリングファクタに基づいてトランスポートブロックサイズ（ＴＢＳ）を決定することをさらに含む。ネットワークノードによって実施される方法が、制御メッセージ中で、ダウンリンク共有チャネルのための少なくとも変調符号化方式（ＭＣＳ）およびスケーリングファクタを指示することを含む。スケーリングファクタは、１よりも小さい値を指示する。本方法は、ユーザ機器（ＵＥ）に制御メッセージを送ることであって、制御メッセージが、共有ダウンリンクチャネルのためのトランスポートブロックサイズ（ＴＢＳ）の決定を可能にする、制御メッセージを送ることをさらに含む。【選択図】図１３
2021512557.tif 000002
【特許請求の範囲】
【請求項１】
ネットワークノードによって実施される方法であって、前記方法は、
制御メッセージ中で、ダウンリンク共有チャネルのための少なくとも変調符号化方式（ＭＣＳ）および１よりも小さい値を指示するスケーリングファクタを指示すること（ＹＹ１１０、ＹＹ２２０）と、
ユーザ機器（ＵＥ）に、共有ダウンリンクチャネルのためのトランスポートブロックサイズ（ＴＢＳ）の決定を可能にする、制御メッセージを送ること（ＹＹ１２０、ＹＹ２３０）と
を含む、方法。
【請求項２】
前記制御メッセージは、前記ＵＥが、少なくとも前記ＭＣＳおよび前記スケーリングファクタに基づいて情報ビットの中間数を決定することを可能にし、ビットの前記中間数は、前記ＵＥが前記ＴＢＳを決定することを可能にする、請求項１に記載の方法。
【請求項３】
前記スケーリングファクタが１／２と１／４とのうちの１つである、請求項１または２に記載の方法。
【請求項４】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項１から３のいずれか一項に記載の方法。
【請求項５】
前記制御メッセージが少なくとも１ビットを含み、前記少なくとも１ビットは、前記少なくとも１ビットのうちの第１のビットが０にセットされたときに前記スケーリングファクタとして１／２を使用し、前記第１のビットが０にセットされないときに前記第２のスケーリングファクタとして１／４を使用するように指示する、請求項１から４のいずれか一項に記載の方法。
【請求項６】
前記制御メッセージが物理ダウンリンク制御チャネル（ＰＤＣＣＨ）を介して送られる、請求項１から５のいずれか一項に記載の方法。
【請求項７】
前記スケーリングファクタが、ＰＤＣＣＨを介して前記制御メッセージ中で指示され、前記スケーリングファクタが１／２または１／４の値を含む、請求項１から６のいずれか一項に記載の方法。
【請求項８】
前記共有チャネルが物理ダウンリンク共有チャネル（ＰＤＳＣＨ）である、請求項１から７のいずれか一項に記載の方法。
【請求項９】
前記ＰＤＳＣＨがブロードキャストチャネルである、請求項８に記載の方法。
【請求項１０】
前記制御メッセージが、無線ネットワーク一時識別子（ＲＮＴＩ）によってスクランブルされた巡回冗長検査（ＣＲＣ）とともにＰＤＣＣＨによって搬送され、前記ＲＮＴＩが、システム情報ＲＮＴＩ（ＳＩ−ＲＮＴＩ）、ランダムアクセスＲＮＴＩ（ＲＡ−ＲＮＴＩ）、またはページングＲＮＴＩ（Ｐ−ＲＮＴＩ）を含む、請求項１から９のいずれか一項に記載の方法。
【請求項１１】
前記ＵＥが前記ＴＢＳを決定することを可能にすることは、前記ＵＥが前記共有チャネルのトランスポートブロックを復号することをさらに可能にする、請求項１から１０のいずれか一項に記載の方法。
【請求項１２】
前記制御メッセージが、時間または周波数領域繰返しをさらに指示する、請求項１から１１のいずれか一項に記載の方法。
【請求項１３】
前記制御メッセージ中で指示された前記ＭＣＳが、通常のＭＣＳよりも低いスペクトル効率を備える、請求項１から１２のいずれか一項に記載の方法。
【請求項１４】
前記通常のＭＣＳが、第３世代パートナーシッププロジェクト（３ＧＰＰ）技術仕様（ＴＳ）３８．２１４バージョン１５．２．０またはそれ以前によるＭＣＳに対応する、請求項１３に記載の方法。
【請求項１５】
拡張モバイルブロードバンド（ｅＭＢＢ）ＰＤＳＣＨのために規定された表に基づいて、前記制御メッセージ中で指示すべき前記ＭＣＳを決定すること（ＹＹ２１０）をさらに含む、請求項１から１４のいずれか一項に記載の方法。
【請求項１６】
特に前記ＰＤＳＣＨのために規定された表または表エントリに基づいて、前記制御メッセージ中で指示すべき前記ＭＣＳを決定すること（ＹＹ２０５）をさらに含む、請求項１から１５のいずれか一項に記載の方法。
【請求項１７】
前記ＴＢＳに少なくとも部分的に基づいて物理リソースブロック（ＰＲＢ）を割り当てること（ＹＹ１３０）をさらに含む、請求項１から１６のいずれか一項に記載の方法。
【請求項１８】
無線デバイス（ＷＤ）によって実施される方法であって、前記方法は、
制御メッセージを受信すること（ＹＹ３１０、ＹＹ４１０）であって、前記制御メッセージが、ダウンリンク共有チャネルのための少なくとも変調符号化方式（ＭＣＳ）およびスケーリングファクタを指示し、前記スケーリングファクタが、１よりも小さい値を指示する、制御メッセージを受信すること（ＹＹ３１０、ＹＹ４１０）と、
前記制御メッセージ中で指示された前記ＭＣＳおよび前記スケーリングファクタに基づいてトランスポートブロックサイズ（ＴＢＳ）を決定すること（ＹＹ３２０、ＹＹ４２０）と
を含む、方法。
【請求項１９】
前記制御メッセージ中で指示された前記ＭＣＳおよび前記スケーリングファクタに基づいて前記ＴＢＳを決定することが、前記ＭＣＳおよび前記スケーリングファクタに少なくとも基づいて情報ビットの中間数を決定することを含む、請求項１８に記載の方法。
【請求項２０】
前記スケーリングファクタが１／２と１／４とのうちの１つである、請求項１８または１９に記載の方法。
【請求項２１】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項１８から２０のいずれか一項に記載の方法。
【請求項２２】
前記制御メッセージが少なくとも１ビットを含み、前記少なくとも１ビットは、前記少なくとも１ビットのうちの第１のビットが０にセットされたときに前記スケーリングファクタとして１／２を使用し、前記第１のビットが０にセットされないときに前記第２のスケーリングファクタとして１／４を使用するように指示する、請求項１８から２１のいずれか一項に記載の方法。
【請求項２３】
前記制御メッセージが物理ダウンリンク制御チャネル（ＰＤＣＣＨ）を介して送られる、請求項１８から２２のいずれか一項に記載の方法。
【請求項２４】
前記スケーリングファクタが、ＰＤＣＣＨを介して前記制御メッセージ中で指示され、前記スケーリングファクタが１／２または１／４の値を含む、請求項１８から２３のいずれか一項に記載の方法。
【請求項２５】
前記共有チャネルが物理ダウンリンク共有チャネル（ＰＤＳＣＨ）である、請求項１８から２４のいずれか一項に記載の方法。
【請求項２６】
前記ＰＤＳＣＨがブロードキャストチャネルである、請求項２５に記載の方法。
【請求項２７】
前記制御メッセージが、無線ネットワーク一時識別子（ＲＮＴＩ）によってスクランブルされた巡回冗長検査（ＣＲＣ）とともにＰＤＣＣＨ上で搬送され、前記ＲＮＴＩが、システム情報ＲＮＴＩ（ＳＩ−ＲＮＴＩ）、ランダムアクセスＲＮＴＩ（ＲＡ−ＲＮＴＩ）、またはページングＲＮＴＩ（Ｐ−ＲＮＴＩ）を含む、請求項１８から２６のいずれか一項に記載の方法。
【請求項２８】
前記制御メッセージ中で指示された前記ＭＣＳおよび前記スケーリングファクタに基づいて決定された前記ＴＢＳに基づいて前記ダウンリンク共有チャネルのトランスポートブロックを復号すること（ＹＹ４３０）をさらに含む、請求項１８から２７のいずれか一項に記載の方法。
【請求項２９】
前記制御メッセージが、時間または周波数領域繰返しをさらに指示する、請求項１８から２８のいずれか一項に記載の方法。
【請求項３０】
前記制御メッセージ中で指示された前記ＭＣＳが、通常のＭＣＳよりも低いスペクトル効率を備える、請求項１８から２９のいずれか一項に記載の方法。
【請求項３１】
前記通常のＭＣＳが、第３世代パートナーシッププロジェクト（３ＧＰＰ）技術仕様（ＴＳ）３８．２１４バージョン１５．２．０またはそれ以前によるＭＣＳに対応する、請求項３０に記載の方法。
【請求項３２】
前記制御メッセージが、拡張モバイルブロードバンド（ｅＭＢＢ）ＰＤＳＣＨのために規定された表に基づいて前記ＭＣＳを指示する、請求項１８から３１のいずれか一項に記載の方法。
【請求項３３】
前記制御メッセージが、特に前記ＰＤＳＣＨのために規定された表または表エントリに基づいて前記ＭＣＳを指示する、請求項１８から３２のいずれか一項に記載の方法。
【請求項３４】
前記決定されたＴＢＳに少なくとも部分的に基づいて物理リソースブロック（ＰＲＢ）割り当てを取得すること（ＹＹ３３０）をさらに含む、請求項１８から３３のいずれか一項に記載の方法。
【請求項３５】
命令を記憶するように動作可能なメモリ（ＱＱ１８０、ＱＱ３９０−１、ＱＱ３９０−２）と、前記命令を実行するように動作可能な処理回路要素（ＱＱ１７０、ＱＱ３６０、ＱＱ５２８）とを備えるネットワークノード（ＱＱ１６０、ＱＱ３３０、ＱＱ４１２、ＱＱ５２０）であって、それにより、前記ネットワークノードは、
制御メッセージ中で、ダウンリンク共有チャネルのための少なくとも変調符号化方式（ＭＣＳ）および１よりも小さい値を指示するスケーリングファクタを指示することと、
ユーザ機器（ＵＥ）（ＱＱ１１０、ＱＱ２００、ＱＱ３３０、ＱＱ４９１、ＱＱ４９２、ＱＱ５３０）に、共有ダウンリンクチャネルのためのトランスポートブロックサイズ（ＴＢＳ）の決定を可能にする、制御メッセージを送ることと
を行うように動作可能である、ネットワークノード（ＱＱ１６０、ＱＱ３３０、ＱＱ４１２、ＱＱ５２０）。
【請求項３６】
前記制御メッセージは、前記ＵＥが、少なくとも前記ＭＣＳおよび前記スケーリングファクタに基づいて情報ビットの中間数を決定することを可能にし、ビットの前記中間数は、前記ＵＥが前記ＴＢＳを決定することを可能にする、請求項３５に記載のネットワークノード。
【請求項３７】
前記スケーリングファクタが１／２と１／４とのうちの１つである、請求項３５または３６に記載のネットワークノード。
【請求項３８】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項３５から３７のいずれか一項に記載のネットワークノード。
【請求項３９】
前記制御メッセージが少なくとも１ビットを含み、前記少なくとも１ビットは、前記少なくとも１ビットのうちの第１のビットが０にセットされたときに前記スケーリングファクタとして１／２を使用し、前記第１のビットが０にセットされないときに前記第２のスケーリングファクタとして１／４を使用するように指示する、請求項３５から３８のいずれか一項に記載のネットワークノード。
【請求項４０】
前記制御メッセージが物理ダウンリンク制御チャネル（ＰＤＣＣＨ）を介して送られる、請求項３５から３９のいずれか一項に記載のネットワークノード。
【請求項４１】
前記スケーリングファクタが、ＰＤＣＣＨを介して前記制御メッセージ中で指示され、前記スケーリングファクタが１／２または１／４の値を含む、請求項３５から４０のいずれか一項に記載のネットワークノード。
【請求項４２】
前記共有チャネルが物理ダウンリンク共有チャネル（ＰＤＳＣＨ）である、請求項３５から４１のいずれか一項に記載のネットワークノード。
【請求項４３】
前記ＰＤＳＣＨがブロードキャストチャネルである、請求項４２に記載のネットワークノード。
【請求項４４】
前記制御メッセージが、無線ネットワーク一時識別子（ＲＮＴＩ）によってスクランブルされた巡回冗長検査（ＣＲＣ）とともにＰＤＣＣＨ上で搬送され、前記ＲＮＴＩが、システム情報ＲＮＴＩ（ＳＩ−ＲＮＴＩ）、ランダムアクセスＲＮＴＩ（ＲＡ−ＲＮＴＩ）、またはページングＲＮＴＩ（Ｐ−ＲＮＴＩ）を含む、請求項３５から４３のいずれか一項に記載のネットワークノード。
【請求項４５】
前記ＵＥが前記ＴＢＳを決定することを可能にすることは、前記ＵＥが前記共有チャネルのトランスポートブロックを復号することをさらに可能にする、請求項３５から４４のいずれか一項に記載のネットワークノード。
【請求項４６】
前記制御メッセージが、時間または周波数領域繰返しをさらに指示する、請求項３５から４５のいずれか一項に記載のネットワークノード。
【請求項４７】
前記制御メッセージ中で指示された前記ＭＣＳが、通常のＭＣＳよりも低いスペクトル効率を備える、請求項３５から４６のいずれか一項に記載のネットワークノード。
【請求項４８】
前記通常のＭＣＳが、第３世代パートナーシッププロジェクト（３ＧＰＰ）技術仕様（ＴＳ）３８．２１４バージョン１５．２．０またはそれ以前によるＭＣＳに対応する、請求項４７に記載のネットワークノード。
【請求項４９】
前記ネットワークノードが、拡張モバイルブロードバンド（ｅＭＢＢ）ＰＤＳＣＨのために規定された表に基づいて、前記制御メッセージ中で指示すべき前記ＭＣＳを決定するようにさらに動作可能である、請求項３５から４８のいずれか一項に記載のネットワークノード。
【請求項５０】
前記ネットワークノードが、特に前記ＰＤＳＣＨのために規定された表または表エントリに基づいて、前記制御メッセージ中で指示すべき前記ＭＣＳを決定するようにさらに動作可能である、請求項３５から４９のいずれか一項に記載のネットワークノード。
【請求項５１】
前記ネットワークノードが、前記ＴＢＳに少なくとも部分的に基づいて物理リソースブロック（ＰＲＢ）を割り当てるようにさらに動作可能である、請求項３５から５０のいずれか一項に記載のネットワークノード。
【請求項５２】
命令を記憶するように動作可能なメモリ（ＱＱ１３０、ＱＱ２１５、ＱＱ３９０−１、ＱＱ３９０−２）と、前記命令を実行するように動作可能な処理回路要素（ＱＱ１２０、ＱＱ２０１、ＱＱ３６０、ＱＱ５３８）とを備える無線デバイス（ＱＱ１１０、ＱＱ２００、ＱＱ３３０、ＱＱ４９１、ＱＱ４９２、ＱＱ５３０）であって、それにより、前記無線デバイスは、
制御メッセージを受信することであって、前記制御メッセージが、ダウンリンク共有チャネルのための少なくとも変調符号化方式（ＭＣＳ）およびスケーリングファクタを指示し、前記スケーリングファクタが、１よりも小さい値を指示する、制御メッセージを受信することと、
前記制御メッセージ中で指示された前記ＭＣＳおよび前記スケーリングファクタに基づいてトランスポートブロックサイズ（ＴＢＳ）を決定することと
を行うように動作可能である、無線デバイス（ＱＱ１１０、ＱＱ２００、ＱＱ３３０、ＱＱ４９１、ＱＱ４９２、ＱＱ５３０）。
【請求項５３】
前記制御メッセージ中で指示された前記ＭＣＳおよび前記スケーリングファクタに基づいて前記ＴＢＳを決定することが、前記ＭＣＳおよび前記スケーリングファクタに少なくとも基づいて情報ビットの中間数を決定することを含む、請求項５２に記載の無線デバイス。
【請求項５４】
前記スケーリングファクタが１／２と１／４とのうちの１つである、請求項５２または５３に記載の無線デバイス。
【請求項５５】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項５２から５４のいずれか一項に記載の無線デバイス。
【請求項５６】
前記制御メッセージが少なくとも１ビットを含み、前記少なくとも１ビットは、前記少なくとも１ビットのうちの第１のビットが０にセットされたときに前記スケーリングファクタとして１／２を使用し、前記第１のビットが０にセットされないときに前記第２のスケーリングファクタとして１／４を使用するように指示する、請求項５２から５５のいずれか一項に記載の無線デバイス。
【請求項５７】
前記制御メッセージが物理ダウンリンク制御チャネル（ＰＤＣＣＨ）を介して送られる、請求項５２から５６のいずれか一項に記載の無線デバイス。
【請求項５８】
前記スケーリングファクタが、ＰＤＣＣＨを介して前記制御メッセージ中で指示され、前記スケーリングファクタが１／２または１／４の値を含む、請求項５２から５７のいずれか一項に記載の無線デバイス。
【請求項５９】
前記共有チャネルが物理ダウンリンク共有チャネル（ＰＤＳＣＨ）である、請求項５２から５８のいずれか一項に記載の無線デバイス。
【請求項６０】
前記ＰＤＳＣＨがブロードキャストチャネルである、請求項５９に記載の無線デバイス。
【請求項６１】
前記制御メッセージが、無線ネットワーク一時識別子（ＲＮＴＩ）によってスクランブルされた巡回冗長検査（ＣＲＣ）とともにＰＤＣＣＨ上で搬送され、前記ＲＮＴＩが、システム情報ＲＮＴＩ（ＳＩ−ＲＮＴＩ）、ランダムアクセスＲＮＴＩ（ＲＡ−ＲＮＴＩ）、またはページングＲＮＴＩ（Ｐ−ＲＮＴＩ）を含む、請求項５２から６０のいずれか一項に記載の無線デバイス。
【請求項６２】
前記無線デバイスが、前記制御メッセージ中で指示された前記ＭＣＳおよび前記スケーリングファクタに基づいて決定された前記ＴＢＳに基づいて前記ダウンリンク共有チャネルのトランスポートブロックを復号するようにさらに動作可能である、請求項５２から６１のいずれか一項に記載の無線デバイス。
【請求項６３】
前記制御メッセージが、時間または周波数領域繰返しをさらに指示する、請求項５２から６２のいずれか一項に記載の無線デバイス。
【請求項６４】
前記制御メッセージ中で指示された前記ＭＣＳが、通常のＭＣＳよりも低いスペクトル効率を備える、請求項５２から６３のいずれか一項に記載の無線デバイス。
【請求項６５】
前記通常のＭＣＳが、第３世代パートナーシッププロジェクト（３ＧＰＰ）技術仕様（ＴＳ）３８．２１４バージョン１５．２．０またはそれ以前によるＭＣＳに対応する、請求項６４に記載の無線デバイス。
【請求項６６】
前記制御メッセージが、拡張モバイルブロードバンド（ｅＭＢＢ）ＰＤＳＣＨのために規定された表に基づいて前記ＭＣＳを指示する、請求項５２から６５のいずれか一項に記載の無線デバイス。
【請求項６７】
前記制御メッセージが、特に前記ＰＤＳＣＨのために規定された表または表エントリに基づいて前記ＭＣＳを指示する、請求項５２から６６のいずれか一項に記載の無線デバイス。
【請求項６８】
前記無線デバイスが、前記決定されたＴＢＳに少なくとも部分的に基づいて物理リソースブロック（ＰＲＢ）割り当てを取得するようにさらに動作可能である、請求項５２から６７のいずれか一項に記載の無線デバイス。
【請求項６９】
コンピュータ可読プログラムコードを記憶する非一時的コンピュータ可読媒体（ＱＱ１８０、ＱＱ３９０−１、ＱＱ３９０−２）を備えるコンピュータプログラム製品であって、前記コンピュータ可読プログラムコードは、
制御メッセージ中で、ダウンリンク共有チャネルのための少なくとも変調符号化方式（ＭＣＳ）およびスケーリングファクタを指示するためのプログラムコードであって、前記スケーリングファクタが、１よりも小さい値を指示する、プログラムコードと、
ユーザ機器（ＵＥ）に前記制御メッセージを送るためのプログラムコードであって、前記制御メッセージが、共有ダウンリンクチャネルのためのトランスポートブロックサイズ（ＴＢＳ）の決定を可能にする、プログラムコードと
を含む、コンピュータプログラム製品。
【請求項７０】
コンピュータ可読プログラムコードを記憶する非一時的コンピュータ可読媒体（ＱＱ１３０、ＱＱ２１５、ＱＱ３９０−１、ＱＱ３９０−２）を備えるコンピュータプログラム製品であって、前記コンピュータ可読プログラムコードは、
制御メッセージを受信するためのプログラムコードであって、前記制御メッセージが、ダウンリンク共有チャネルのための少なくとも変調符号化方式（ＭＣＳ）およびスケーリングファクタを指示し、前記スケーリングファクタが、１よりも小さい値を指示する、プログラムコードと、
前記制御メッセージ中で指示された前記ＭＣＳおよび前記スケーリングファクタに基づいてトランスポートブロックサイズ（ＴＢＳ）を決定するためのプログラムコードと
を含む、コンピュータプログラム製品。
【発明の詳細な説明】
【技術分野】
【０００１】
本開示は、一般に、無線通信に関し、より詳細には、無線通信ネットワークにおけるダウンリンク共有チャネルの性能を向上させることに関する。
【背景技術】
【０００２】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになる。
【０００３】
リソースブロック
第３世代パートナーシッププロジェクト（３ＧＰＰ）は、新無線（Ｎｅｗ  Ｒａｄｉｏ：ＮＲ）（たとえば、５Ｇ）のための技術仕様を規定するプロセスである。リリース１５（Ｒｅｌ−１５）ＮＲでは、ユーザ機器（ＵＥ）に、ダウンリンクにおける最高４つのキャリア帯域幅部分（ＢＷＰ）が設定され得、所与の時間において、単一のダウンリンクキャリア帯域幅部分がアクティブである。ＵＥに、アップリンクにおける最高４つのキャリア帯域幅部分が設定され得、所与の時間において、単一のアップリンクキャリア帯域幅部分がアクティブである。ＵＥに、補助アップリンクが設定される場合、ＵＥは、さらに、補助アップリンクにおける最高４つのキャリア帯域幅部分が設定され得、所与の時間において、単一の補助アップリンクキャリア帯域幅部分がアクティブである。
【０００４】
所与のヌメロロジーをもつキャリア帯域幅部分μｉについて、物理リソースブロック（ＰＲＢ）の隣接するセットが規定され、０から
2021512557.tif 000003
まで番号を付けられ、ここで、ｉは、キャリア帯域幅部分のインデックスである。リソースブロック（ＲＢ）は、周波数領域における１２個の連続するサブキャリアとして規定される。
【０００５】
ヌメロロジー
複数の直交周波数分割多重（ＯＦＤＭ）ヌメロロジーμが、表１によって与えられるようにＮＲにおいてサポートされ、ここで、キャリア帯域幅部分についてのサブキャリア間隔Δｆおよびサイクリックプレフィックスが、それぞれ、ダウンリンク（ＤＬ）およびアップリンク（ＵＬ）のための異なる上位レイヤパラメータによって設定される。
2021512557.tif 000004
【０００６】
物理チャネル
ダウンリンク物理チャネルが、上位レイヤから発信した情報を搬送するリソースエレメントのセットに対応する。以下のダウンリンク物理チャネルが規定されている。
・  物理ダウンリンク共有チャネル（ＰＤＳＣＨ）
・  物理ブロードキャストチャネル（ＰＢＣＨ）
・  物理ダウンリンク制御チャネル（ＰＤＣＣＨ）
【０００７】
ＰＤＳＣＨは、ユニキャストダウンリンクデータ送信のために使用されるが、ＲＡＲ（ランダムアクセス応答）、いくつかのシステム情報ブロック、およびページング情報の送信のためにも使用される、主要な物理チャネルである。ＰＢＣＨは、ネットワークにアクセスするためにＵＥによって必要とされる基本システム情報を搬送する。ＰＤＣＣＨは、ダウンリンク制御情報（ＤＣＩ）、主に、ＰＤＳＣＨの受信、およびＰＵＳＣＨ上での送信を可能にするアップリンクスケジューリンググラントのために必要とされる、スケジューリング判定を送信するために使用される。
【０００８】
アップリンク物理チャネルが、上位レイヤから発信した情報を搬送するリソースエレメントのセットに対応する。以下のアップリンクリンク物理チャネルが規定されている。
・  物理アップリンク共有チャネル（ＰＵＳＣＨ）
・  物理アップリンク制御チャネル（ＰＵＣＣＨ）
・  物理ランダムアクセスチャネル（ＰＲＡＣＨ）
【０００９】
ＰＵＳＣＨは、ＰＤＳＣＨに対するアップリンクカウンターパートである。ＰＵＣＣＨは、ＨＡＲＱ確認応答、チャネル状態情報報告などを含む、アップリンク制御情報を送信するために、ＵＥによって使用される。ＰＲＡＣＨは、ランダムアクセスプリアンブル送信のために使用される。
【００１０】
ＰＵＳＣＨおよびＰＤＳＣＨのための周波数リソース割り当て
概して、ＵＥは、ＰＤＣＣＨ中で搬送された検出されたＤＣＩ中のリソース割り当てフィールドを使用して、ＰＵＳＣＨまたはＰＤＳＣＨのための周波数領域におけるＲＢ割り振りを決定するものとする。ランダムアクセスプロシージャにおいてｍｓｇ３を搬送するＰＵＳＣＨについて、周波数領域リソース割り振りは、ＲＡＲ中に含まれているＵＬグラントを使用することによってシグナリングされる。
【００１１】
ＮＲでは、ＰＵＳＣＨおよびＰＤＳＣＨのために、２つの周波数リソース割り当て方式、タイプ０およびタイプ１がサポートされる。ＰＵＳＣＨ／ＰＤＳＣＨ送信のためにどちらのタイプを使用すべきかは、無線リソース制御（ＲＲＣ）設定されたパラメータによって規定されるか、ＲＡＲ中の対応するＤＣＩまたはＵＬグラント中で直接指示される（この場合、タイプ１が使用される）かのいずれかである。
【００１２】
アップリンク／ダウンリンクタイプ０およびタイプ１リソース割り当てのためのＲＢインデックス付けは、ＵＥのアクティブキャリア帯域幅部分内で決定される。ＵＥを対象とするＰＤＣＣＨを検出すると、ＵＥは、最初に、アップリンク／ダウンリンクキャリア帯域幅部分を決定し、次いで、そのキャリア帯域幅部分内のリソース割り当てを決定するものとする。ｍｓｇ３を搬送するＰＵＳＣＨのためのＵＬ  ＢＷＰは、上位レイヤパラメータによって設定される。
【００１３】
セル探索および初期アクセス関係チャネルおよび信号
セル探索および初期アクセスでは、これらのチャネル、すなわち、同期信号およびＰＢＣＨブロック（ＳＳ／ＰＢＣＨブロック、または短縮して「ＳＳＢ」）、ＤＣＩを搬送するＰＤＣＣＨチャネルによってスケジュールされた残存最小システム情報（ＲＭＳＩ）／ＲＡＲ／ＭＳＧ４を搬送するＰＤＳＣＨ、ランダムアクセスプロシージャにおいてＭＳＧ３を搬送するＰＲＡＣＨチャネルおよびＰＵＳＣＨチャネルが含まれる。
【００１４】
ＳＳＢは、同期信号とＰＢＣＨとを含む。同期信号は、たとえば、１次同期信号（ＰＳＳ）と、２次同期信号（ＳＳＳ）と、ＰＢＣＨ復調用参照信号（ＤＭＲＳ）とを含み得る。ＳＳＢは、周波数範囲に応じて、１５ｋＨｚ、３０ｋＨｚ、１２０ｋＨｚまたは２４０ｋＨｚ  ＳＣＳを有し得る。
【００１５】
現在、（１つまたは複数の）ある課題が存在する。たとえば、ＰＤＳＣＨは、性能に関していくつかの課題を有し得る。ＮＲにおける最も弱いチャネルを見つけるために、以下のように、信号とチャネルとの間の性能比較が行われた。
【００１６】
考慮される信号およびチャネルは、ＳＳ／ＰＢＣＨブロック、ＰＲＡＣＨ、ＰＤＣＣＨ、ＰＤＳＣＨである。
【００１７】
１．  ＳＳ／ＰＢＣＨブロックについて、異なるＵＥ速度および異なるＴＤＬ−Ａチャネル遅延拡散で、１５ｋＨｚ  ＳＣＳ、１ＴＸ／２ＲＸ、ローバンドのときの、セルｉｄ誤検出レート、ＳＳＢ時間インデックス検出レートおよびＰＢＣＨブロック誤り率（ＢＬＥＲ）性能が調査された。
【００１８】
概して、ＰＢＣＨ性能は、１０％のＢＬＥＲにおいて−４．３ｄＢよりも不良でなく、セルｉｄ／ＳＳＢインデックス検出性能は、ＰＢＣＨ  ＢＬＥＲよりも２ｄＢ〜３ｄＢ良好である。ＳＳＢが、ＳＳＢ周期性で繰り返していることを考慮すると、ＰＢＣＨ  ＢＬＥＲは、２つの連続するＳＳＢが組み合わせられたとき、約２ｄＢ〜３ｄＢ改善され得る。したがって、ＳＳ／ＰＢＣＨブロックの全体的性能利得は、１０％のＢＬＥＲにおいて−６ｄＢに達することができる。
【００１９】
２．  ＰＤＳＣＨでは、ＰＲＢの数が小さい（たとえば、ＲＡＲでは、ＲＡＲの現在の変調符号化方式（ＭＣＳ）表およびペイロードサイズに基づいて、３つのＰＲＢが割り当てられる）とき、プリコーダ循環ＴＸダイバーシティ（ＮＲにおいて使用されるＴＸダイバーシティ）を用いたシミュレーションによる性能は、１０％のＢＬＥＲにおいてわずか約−２．３ｄＢである。これは、１つのＲＭＳＩ送信時間間隔（ＴＴＩ）（１６０ｍｓ）内でＳＳＢにいくつのＲＭＳＩが関連付けられるかに応じて、ＲＭＳＩも、このＴＴＩで繰り返し得るので、ＲＭＳＩにとって問題でないことがある。しかし、ＲＡＲでは、ＰＤＳＣＨの繰返しはサポートされない。
【００２０】
３．  ＰＲＡＣＨでは、また、ＳＳ／ＰＢＣＨブロックと同様のシミュレーション仮定を用いて性能が調査され、その性能は極めて良好であり、すなわち、同様のシミュレーションに基づくＳＳ／ＰＢＣＨブロックと比較して、ターゲット誤検出レートにおいて、−６ｄＢに達することができる。
【００２１】
４．  ＰＤＣＣＨでは、ターゲットＢＬＥＲは１％であり、１％において、ＮＲにおけるアグリゲーションレベルが現在、１６であり得るので、ＳＳ／ＰＢＣＨと同様のシミュレーションに基づいて、−６ｄＢよりも低いＳＮＲに達することができる。
【００２２】
したがって、概して、特に、小さいペイロードサイズおよび少数のＰＲＢが割り当てられる場合、上記の比較に基づいて、ブロードキャスティングＰＤＳＣＨが最も弱いチャネルである。
【００２３】
したがって、ブロードキャスティングＰＤＳＣＨの性能を改善するために、いくつかの方法が必要とされる。
【００２４】
本開示のいくつかの態様およびそれらの実施形態は、これらまたは他の課題のソリューションを提供し得る。たとえば、いくつかの実施形態は、ＮＲの全体的性能を制限するブロードキャストＰＤＳＣＨチャネルの受信機性能を改善するためのソリューションを提案する。いくつかの実施形態はＰＤＳＣＨ性能を組み合わせる。
【００２５】
本明細書で開示される問題点のうちの１つまたは複数に対処する様々な実施形態が、本明細書で提案される。
【００２６】
いくつかの実施形態は、（１つまたは複数の）以下の技術的利点のうちの１つまたは複数を提供し得る。たとえば、いくつかの実施形態はＰＤＳＣＨの受信性能を改善する。
【発明の概要】
【００２７】
いくつかの実施形態によれば、ネットワークノードによって実施される方法が開示される。本方法は、制御メッセージ中で、ダウンリンク共有チャネルのための少なくとも変調符号化方式（ＭＣＳ）およびスケーリングファクタを指示することを含む。スケーリングファクタは、１よりも小さい値を指示する。本方法は、ユーザ機器（ＵＥ）に制御メッセージを送ることをさらに含む。制御メッセージは、共有ダウンリンクチャネルのためのトランスポートブロックサイズ（ＴＢＳ）の決定を可能にする。
【００２８】
いくつかの実施形態によれば、ネットワークノードは、メモリと処理回路要素とを備える。メモリは、命令を記憶するように動作可能である。処理回路要素は、命令を実行するように動作可能である。ネットワークノードは、制御メッセージ中で、ダウンリンク共有チャネルのための少なくとも変調符号化方式（ＭＣＳ）およびスケーリングファクタを指示するように動作可能である。スケーリングファクタは、１よりも小さい値を指示する。ネットワークノードは、ユーザ機器（ＵＥ）に制御メッセージを送ることであって、制御メッセージが、共有ダウンリンクチャネルのためのトランスポートブロックサイズ（ＴＢＳ）の決定を可能にする、制御メッセージを送ることを行うようにさらに動作可能である。
【００２９】
いくつかの実施形態によれば、コンピュータプログラム製品が、コンピュータ可読プログラムコードを記憶する非一時的コンピュータ可読媒体を備える。コンピュータ可読プログラムコードは、制御メッセージ中で、ダウンリンク共有チャネルのための少なくとも変調符号化方式（ＭＣＳ）およびスケーリングファクタを指示するためのプログラムコードを含む。スケーリングファクタは、１よりも小さい値を指示する。コンピュータ可読プログラムコードは、ユーザ機器（ＵＥ）に制御メッセージを送るためのプログラムコードをさらに含む。制御メッセージは、共有ダウンリンクチャネルのためのトランスポートブロックサイズ（ＴＢＳ）の決定を可能にする。
【００３０】
上記で説明された方法、ネットワークノード、および／またはコンピュータプログラムコードは、以下のうちの任意の１つまたは複数を含む、様々な他の特徴を含み得る。
【００３１】
いくつかの実施形態では、制御メッセージは、ＵＥが、少なくともＭＣＳおよびスケーリングファクタに基づいて情報ビットの中間数を決定することを可能にし、ビットの中間数は、ＵＥがＴＢＳを決定することを可能にする。
【００３２】
いくつかの実施形態では、スケーリングファクタは１／２と１／４とのうちの１つである。
【００３３】
いくつかの実施形態では、制御メッセージはビットを含み、ビットは、ビットが第１の値にセットされたときに第１のスケーリングファクタを使用し、ビットが第２の値にセットされたときに第２のスケーリングファクタを使用するように指示する。
【００３４】
いくつかの実施形態では、制御メッセージは少なくとも１ビットを含み、少なくとも１ビットは、少なくとも１ビットのうちの第１のビットが０にセットされたときにスケーリングファクタとして１／２を使用し、第１のビットが０にセットされないときに第２のスケーリングファクタとして１／４を使用するように指示する。
【００３５】
いくつかの実施形態では、制御メッセージは物理ダウンリンク制御チャネル（ＰＤＣＣＨ）を介して送られる。
【００３６】
いくつかの実施形態では、スケーリングファクタは、ＰＤＣＣＨを介して制御メッセージ中で指示され、スケーリングファクタは１／２または１／４の値を含む。
【００３７】
いくつかの実施形態では、共有チャネルは物理ダウンリンク共有チャネル（ＰＤＳＣＨ）である。いくつかの実施形態では、ＰＤＳＣＨはブロードキャストチャネルである。
【００３８】
いくつかの実施形態では、制御メッセージは、無線ネットワーク一時識別子（ＲＮＴＩ）によってスクランブルされた巡回冗長検査（ＣＲＣ）とともにＰＤＣＣＨ上で搬送され、ＲＮＴＩは、システム情報ＲＮＴＩ（ＳＩ−ＲＮＴＩ）、ランダムアクセスＲＮＴＩ（ＲＡ−ＲＮＴＩ）、またはページングＲＮＴＩ（Ｐ−ＲＮＴＩ）を含む。
【００３９】
いくつかの実施形態では、ＵＥがＴＢＳを決定することを可能にする方法／ネットワークノード／コンピュータプログラムコードは、ＵＥが共有チャネルのトランスポートブロックを復号することをさらに可能にする。
【００４０】
いくつかの実施形態では、制御メッセージは、時間または周波数領域繰返しをさらに指示する。
【００４１】
いくつかの実施形態では、制御メッセージ中で指示されたＭＣＳが、通常のＭＣＳよりも低いスペクトル効率を備える。いくつかの実施形態では、通常のＭＣＳは、第３世代パートナーシッププロジェクト（３ＧＰＰ）技術仕様（ＴＳ）３８．２１４バージョン１５．２．０またはそれ以前によるＭＣＳに対応する。
【００４２】
いくつかの実施形態では、方法／ネットワークノード／コンピュータプログラムコードは、拡張モバイルブロードバンド（ｅＭＢＢ）ＰＤＳＣＨのために規定された表に基づいて、制御メッセージ中で指示すべきＭＣＳを決定することをさらに含む。
【００４３】
いくつかの実施形態では、方法／ネットワークノード／コンピュータプログラムコードは、特にＰＤＳＣＨのために規定された表または表エントリに基づいて、制御メッセージ中で指示すべきＭＣＳを決定することをさらに含む。
【００４４】
いくつかの実施形態では、方法／ネットワークノード／コンピュータプログラムコードは、ＴＢＳに少なくとも部分的に基づいて物理リソースブロック（ＰＲＢ）を割り当てることをさらに含む。
【００４５】
いくつかの実施形態によれば、無線デバイスによって実施される方法が開示される。本方法は、制御メッセージを受信することを含む。制御メッセージは、ダウンリンク共有チャネルのための少なくとも変調符号化方式（ＭＣＳ）およびスケーリングファクタを指示する。スケーリングファクタは、１よりも小さい値を指示する。本方法は、制御メッセージ中で指示されたＭＣＳおよびスケーリングファクタに基づいてトランスポートブロックサイズ（ＴＢＳ）を決定することをさらに含む。
【００４６】
いくつかの実施形態によれば、無線デバイスは、メモリと処理回路要素とを備える。メモリは、命令を記憶するように動作可能である。処理回路要素は、命令を実行するように動作可能である。無線デバイスは、制御メッセージを受信するように動作可能である。制御メッセージは、ダウンリンク共有チャネルのための少なくとも変調符号化方式（ＭＣＳ）およびスケーリングファクタを指示する。スケーリングファクタは、１よりも小さい値を指示する。無線デバイスは、制御メッセージ中で指示されたＭＣＳおよびスケーリングファクタに基づいてトランスポートブロックサイズ（ＴＢＳ）を決定するようにさらに動作可能である。
【００４７】
ある実施形態によれば、コンピュータプログラム製品は、コンピュータ可読プログラムコードを記憶する非一時的コンピュータ可読媒体を備える。コンピュータ可読プログラムコードは、制御メッセージを受信するためのプログラムコードを含む。制御メッセージは、ダウンリンク共有チャネルのための少なくとも変調符号化方式（ＭＣＳ）およびスケーリングファクタを指示する。スケーリングファクタは、１よりも小さい値を指示する。コンピュータ可読プログラムコードは、制御メッセージ中で指示されたＭＣＳおよびスケーリングファクタに基づいてトランスポートブロックサイズ（ＴＢＳ）を決定するためのプログラムコードをさらに含む。
【００４８】
上記で説明された方法、無線デバイス、および／またはコンピュータプログラムコードは、以下のうちの任意の１つまたは複数を含む、様々な他の特徴を含み得る。
【００４９】
いくつかの実施形態では、方法／無線デバイス／コンピュータプログラムコードが、制御メッセージ中で指示されたＭＣＳおよびスケーリングファクタに基づいてＴＢＳを決定することが、ＭＣＳおよびスケーリングファクタに少なくとも基づいて情報ビットの中間数を決定することを含む。
【００５０】
いくつかの実施形態では、スケーリングファクタは１／２と１／４とのうちの１つである。
【００５１】
いくつかの実施形態では、制御メッセージは少なくとも１ビットを含み、少なくとも１ビットは、少なくとも１ビットのうちの第１のビットが第１の値にセットされたときに第１のスケーリングファクタを使用し、第１のビットが第２の値にセットされたときに第２のスケーリングファクタを使用するように指示する。
【００５２】
いくつかの実施形態では、制御メッセージは少なくとも１ビットを含み、少なくとも１ビットは、少なくとも１ビットのうちの第１のビットが０にセットされたときにスケーリングファクタとして１／２を使用し、第１のビットが０にセットされないときに第２のスケーリングファクタとして１／４を使用するように指示する。
【００５３】
いくつかの実施形態では、制御メッセージは物理ダウンリンク制御チャネル（ＰＤＣＣＨ）を介して送られる。
【００５４】
いくつかの実施形態では、スケーリングファクタは、ＰＤＣＣＨを介して制御メッセージ中で指示され、スケーリングファクタは１／２または１／４の値を含む。
【００５５】
いくつかの実施形態では、共有チャネルは物理ダウンリンク共有チャネル（ＰＤＳＣＨ）である。いくつかの実施形態では、ＰＤＳＣＨがブロードキャストチャネルである。
【００５６】
いくつかの実施形態では、制御メッセージは、無線ネットワーク一時識別子（ＲＮＴＩ）によってスクランブルされた巡回冗長検査（ＣＲＣ）とともにＰＤＣＣＨ上で搬送され、ＲＮＴＩは、システム情報ＲＮＴＩ（ＳＩ−ＲＮＴＩ）、ランダムアクセスＲＮＴＩ（ＲＡ−ＲＮＴＩ）、またはページングＲＮＴＩ（Ｐ−ＲＮＴＩ）を含む。
【００５７】
いくつかの実施形態では、方法／無線デバイス／コンピュータプログラムコードは、制御メッセージ中で指示されたＭＣＳおよびスケーリングファクタに基づいて決定されたＴＢＳに基づいてダウンリンク共有チャネルのトランスポートブロックを復号することをさらに含む。
【００５８】
いくつかの実施形態では、制御メッセージは、時間または周波数領域繰返しをさらに指示する。
【００５９】
いくつかの実施形態では、制御メッセージ中で指示されたＭＣＳが、通常のＭＣＳよりも低いスペクトル効率を備える。いくつかの実施形態では、通常のＭＣＳは、第３世代パートナーシッププロジェクト（３ＧＰＰ）技術仕様（ＴＳ）３８．２１４バージョン１５．２．０またはそれ以前によるＭＣＳに対応する。
【００６０】
いくつかの実施形態では、制御メッセージは、拡張モバイルブロードバンド（ｅＭＢＢ）ＰＤＳＣＨのために規定された表に基づいてＭＣＳを指示する。
【００６１】
いくつかの実施形態では、制御メッセージは、特にＰＤＳＣＨのために規定された表または表エントリに基づいてＭＣＳを指示する。
【００６２】
いくつかの実施形態では、方法／無線デバイス／コンピュータプログラムコードは、決定されたＴＢＳに少なくとも部分的に基づいて物理リソースブロック（ＰＲＢ）割り当てを取得すること（ＹＹ３３０）をさらに含む。
【００６３】
本開示のいくつかの実施形態は、１つまたは複数の技術的利点を提供し得る。たとえば、いくつかの実施形態は、無線デバイスが、ネットワークノードからの制御メッセージ中で指示された変調符号化方式およびスケーリングファクタに基づいてトランスポートブロックサイズを決定することを可能にする。このようにして、トランスポートブロックサイズは、ＰＤＳＣＨの性能を向上させるように調整され得る。別の例として、いくつかの実施形態は、変調符号化方式およびスケーリングファクタに少なくとも基づいて情報ビットの中間数を決定することを含む。したがって、トランスポートブロックサイズは、トランスポートブロックサイズの決定の要因として含まれる中間値を調整することによって、調整され得る。また別の例として、いくつかの実施形態は、制御メッセージ中で、通常のＭＣＳよりも低いスペクトル効率を有するＭＣＳを指示することを含む。たとえば、指示されるＭＣＳは、拡張モバイルブロードバンドＰＤＳＣＨのために規定された表、あるいは特にＰＤＳＣＨのために規定された表または表エントリに基づき得る。より低いスペクトル効率のＭＣＳを提供することによって、トランスポートブロックサイズは、ＰＤＳＣＨの性能を向上させるように調整され得る。他の利点が、当業者に容易に明らかになり得る。いくつかの実施形態は、上記で具陳された利点のいずれをも有しないか、いくつかを有するか、またはすべてを有し得る。
【００６４】
開示される実施形態ならびにそれらの特徴および利点のより完全な理解のために、次に、添付の図面とともに、以下の説明が参照される。
【図面の簡単な説明】
【００６５】
【図１】Ｆｉｇｕｒｅ  ＱＱ１。いくつかの実施形態による、例示的な無線ネットワークを示す図である。
【図２】Ｆｉｇｕｒｅ  ＱＱ２。いくつかの実施形態による、例示的なユーザ機器を示す図である。
【図３】Ｆｉｇｕｒｅ  ＱＱ３。いくつかの実施形態による、例示的な仮想化環境を示す図である。
【図４】Ｆｉｇｕｒｅ  ＱＱ４。いくつかの実施形態による、中間ネットワークを介してホストコンピュータに接続された例示的な通信ネットワークを示す図である。
【図５】Ｆｉｇｕｒｅ  ＱＱ５。いくつかの実施形態による、部分的無線接続上で基地局を介してユーザ機器と通信する例示的なホストコンピュータを示す図である。
【図６】Ｆｉｇｕｒｅ  ＱＱ６。いくつかの実施形態による、通信システムにおいて実装される例示的な方法を示すフローチャートである。
【図７】Ｆｉｇｕｒｅ  ＱＱ７。いくつかの実施形態による、通信システムにおいて実装される第２の例示的な方法を示すフローチャートである。
【図８】Ｆｉｇｕｒｅ  ＱＱ８。いくつかの実施形態による、通信システムにおいて実装される第３の方法を示すフローチャートである。
【図９】Ｆｉｇｕｒｅ  ＱＱ９。いくつかの実施形態による、通信システムにおいて実装される第４の方法を示すフローチャートである。
【図１０】Ｆｉｇｕｒｅ  ＶＶ０。いくつかの実施形態による、ネットワークノードによって実施される例示的な方法を示す図である。
【図１１】Ｆｉｇｕｒｅ  ＶＶ１。いくつかの実施形態による、ユーザ機器など、無線デバイスによって実施される例示的な方法を示す図である。
【図１２】Ｆｉｇｕｒｅ  ＷＷ。いくつかの実施形態による、無線ネットワークにおける装置の概略ブロック図である。
【図１３】Ｆｉｇｕｒｅ  ＹＹ１。いくつかの実施形態による、ネットワークノードによって実施される第２の例示的な方法を示す図である。
【図１４】Ｆｉｇｕｒｅ  ＹＹ２。いくつかの実施形態による、ネットワークノードによって実施される第３の例示的な方法を示す図である。
【図１５】Ｆｉｇｕｒｅ  ＹＹ３。いくつかの実施形態による、無線デバイスによって実施される第２の例示的な方法を示す図である。
【図１６】Ｆｉｇｕｒｅ  ＹＹ４。いくつかの実施形態による、無線デバイスによって実施される第３の例示的な方法を示す図である。
【発明を実施するための形態】
【００６６】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００６７】
本開示のいくつかの実施形態は、以下で提供される、３ＧＰＰ  ＴＳ３８．２１４  Ｖ１５．０．０のセクション５．１．３に基づき得る。
５．１．３  変調次数、ターゲットコードレート、およびトランスポートブロックサイズ決定
物理ダウンリンク共有チャネルにおける変調次数、ターゲットコードレート、および（１つまたは複数の）トランスポートブロックサイズを決定するために、ＵＥは、最初に、
−  サブクローズ５．１．３．１において規定されているプロシージャに基づいて、変調次数（Ｑｍ）およびターゲットコードレート（Ｒ）を決定するために、ＤＣＩ中の５ビットの「変調符号化方式」フィールド（ＩＭＣＳ）を読み取るものとし、
第２に、
−  ＵＥは、サブクローズ５．１．３．２において規定されているプロシージャに基づいて、トランスポートブロックサイズを決定するために、レイヤの数（υ）、レートマッチングの前の割り当てられたＰＲＢの総数（ｎＰＲＢ）を使用するものとする。
ＵＥは、有効チャネルコードレートが０．９５よりも高い場合、初期送信におけるトランスポートブロックを復号することをスキップし得、ここで、有効チャネルコードレートは、（ＣＲＣビットを含む）ダウンリンク情報ビットの数をＰＤＳＣＨ上の物理チャネルビットの数で除算したものとして規定される。ＵＥが復号をスキップした場合、物理レイヤは、トランスポートブロックが正常に復号されていないことを上位レイヤに指示する。
Ｃ−ＲＮＴＩによってスクランブルされたＣＲＣとともにＤＣＩフォーマット１＿０／１＿１を伴うＰＤＣＣＨによって割り振られたＰＤＳＣＨでは、
ｉｆ  上位レイヤパラメータＭＣＳ−Ｔａｂｌｅ−ＰＤＳＣＨが「２５６ＱＡＭ」にセットされない、
−  ＵＥは、物理ダウンリンク共有チャネルにおいて使用される変調次数（Ｑｍ）およびターゲットコードレート（Ｒ）を決定するために、ＩＭＣＳおよび表５．１．３．１−１を使用するものとする。
ｅｌｓｅ
−  ＵＥは、物理ダウンリンク共有チャネルにおいて使用される変調次数（Ｑｍ）およびターゲットコードレート（Ｒ）を決定するために、ＩＭＣＳおよび表５．１．３．１−２を使用するものとする。
ｅｎｄ
2021512557.tif 000005
2021512557.tif 000006
Ｃ−ＲＮＴＩによってスクランブルされたＣＲＣとともにＤＣＩフォーマット１＿０／１＿１を伴うＰＤＣＣＨによって割り振られたＰＤＳＣＨでは、
上位レイヤパラメータＭＣＳ−Ｔａｂｌｅ−ＰＤＳＣＨが、設定された「２５６ＱＡＭ」にセットされ、０≦ＩＭＣＳ≦２７であるか、または上位レイヤパラメータＭＣＳ−Ｔａｂｌｅ−ＰＤＳＣＨが、設定された「２５６ＱＡＭ」にセットされず、０≦ＩＭＣＳ≦２８である場合、ＵＥは、最初に、以下で指定されているようにＴＢＳを決定するものとする。
１）ＵＥは、最初に、スロット内のＲＥの数（ＮＲＥ）を決定するものとする。
−  ＵＥは、最初に、
2021512557.tif 000007
によってＰＲＢ内にＰＤＳＣＨのために割り当てられたＲＥの数（Ｎ’ＲＥ）を決定し、ここで、
2021512557.tif 000008
は、物理リソースブロック中の周波数領域におけるサブキャリアの数であり、
2021512557.tif 000009
は、スロット中のスケジュールされたＯＦＤＭシンボルの数であり、
2021512557.tif 000010
は、ＤＣＩフォーマット１＿０／１＿１によって指示されるＤＭ−ＲＳ  ＣＤＭグループのオーバーヘッドを含む、スケジュールされた持続時間中のＰＲＢごとのＤＭ−ＲＳのためのＲＥの数であり、
2021512557.tif 000011
は、上位レイヤパラメータＸｏｈ−ＰＤＳＣＨによって設定されるオーバーヘッドである。Ｘｏｈ−ＰＤＳＣＨが設定（０、６、１２、または１８からの値）されない場合、Ｘｏｈ−ＰＤＳＣＨは０にセットされる。
−  ＵＥは、表５．１．３．２−１によって、ＰＲＢ内にＰＤＳＣＨのために割り当てられたＲＥの量子化された数
2021512557.tif 000012
を決定する。
2021512557.tif 000013
−  ＵＥは、
2021512557.tif 000014
によって、ＰＤＳＣＨのために割り当てられたＲＥの総数（ＮＲＥ）を決定し、ここで、ｎＰＲＢは、ＵＥのための割り当てられたＰＲＢの総数である。
２）情報ビットの中間数（Ｎｉｎｆｏ）がＮｉｎｆｏ＝ＮＲＥ＊Ｒ＊Ｑｍ＊υによって取得される。
Ｉｆ  Ｎｉｎｆｏ≦３８２４
ＴＢＳ決定の次のステップとしてステップ３を使用する
ｅｌｓｅ
ＴＢＳ決定の次のステップとしてステップ４を使用する
ｅｎｄ
３）Ｎｉｎｆｏ≦３８２４であるとき、ＴＢＳは以下のように決定される。
−  情報ビットの量子化された中間数
2021512557.tif 000015
、ここで、
2021512557.tif 000016
である。
−  Ｎ’ｉｎｆｏ以上である最も近いＴＢＳを見つけるために、表５．１．３．２−２を使用する。
2021512557.tif 000017
４）Ｎｉｎｆｏ＞３８２４であるとき、ＴＢＳは以下のように決定される。
−  情報ビットの量子化された中間数
2021512557.tif 000018
ここで、
2021512557.tif 000019
であり、次に最も大きい整数に向かってラウンド関数におけるタイブレークが行われる。
−  ｉｆ  Ｒ≦１／４
2021512557.tif 000020
ここで
2021512557.tif 000021
ｅｌｓｅ
ｉｆ  Ｎ’ｉｎｆｏ＞８４２４
2021512557.tif 000022
ここで
2021512557.tif 000023
ｅｌｓｅ
2021512557.tif 000024
ｅｎｄ
ｅｎｄ
ｅｌｓｅ  ｉｆ  上位レイヤパラメータＭＣＳ−Ｔａｂｌｅ−ＰＤＳＣＨが、設定された「２５６ＱＡＭ」にセットされ、２８≦ＩＭＣＳ≦３１である、
−  ＴＢＳは、０≦ＩＭＣＳ≦２７を使用する同じトランスポートブロックのための最近のＰＤＣＣＨにおいてトランスポートされたＤＣＩから決定されるものと仮定される。０≦ＩＭＣＳ≦２７を使用する同じトランスポートブロックのためのＰＤＣＣＨがない場合、および同じトランスポートブロックのための初期ＰＤＳＣＨが半永続的にスケジュールされる場合、ＴＢＳは、直近の半永続的スケジューリング割り振りＰＤＣＣＨから決定されるものとする。
ｅｌｓｅ
−  ＴＢＳは、０≦ＩＭＣＳ≦２８を使用する同じトランスポートブロックのための最近のＰＤＣＣＨにおいてトランスポートされたＤＣＩから決定されるものと仮定される。０≦ＩＭＣＳ≦２８を使用する同じトランスポートブロックのためのＰＤＣＣＨがない場合、および同じトランスポートブロックのための初期ＰＤＳＣＨが半永続的にスケジュールされる場合、ＴＢＳは、直近の半永続的スケジューリング割り振りＰＤＣＣＨから決定されるものとする。
ＰＤＣＣＨ上でシグナリングされたＮＤＩおよびＨＡＲＱプロセスＩＤ、ならびに上記で決定されたＴＢＳは、上位レイヤに報告されるものとする。
【００６８】
上記で示されたように、セクション５．１．３は、ＴＢＳを計算するためのいくつかの方法を提供する。本明細書で開示されるいくつかの実施形態は、セクション５．１．３に対するいくつかの修正および／または追加として説明または実装され得る。たとえば、以下で説明される実施形態の第１のセットでは、セクション５．１．３は、たとえば、スケーリングファクタを提供し、および／または１つまたは複数の中間値を修正することによって、より低いコードレートを提供するための調整を可能にするために、ＴＢＳがどのように計算されるかを変更するために修正され得る。別の例として、実施形態の第２のセットは、たとえば、既存のＭＣＳ表において新しいエントリを提供するか、またはより低いＭＣＳ値をもつ追加の表を提供することによって、より低いコードレートを提供するためにより低いＭＣＳ値が利用されることを可能にするために、セクション５．１．３を修正し得る。また別の例として、いくつかの実施形態は、時間および／または周波数における繰返しを可能にすることによって信頼性を改善するためにセクション５．１．３を修正するか、あるいはＰＲＢ割り当てを決定するときの膨張したＴＢＳの使用を可能にするためにセクション５．１．３を修正し得る。いくつかの実施形態は、上記で具陳された規格のいくつかのセクションに対する修正として説明され得るが、他の実施形態は、その規格に基づく必要がない。
【００６９】
実施形態の第１のセット：ＴＢＳ決定プロシージャの調整を介して、より低いコードレートを提供する
実施形態の第１のセットは、トランスポートブロックサイズ（ＴＢＳ）決定プロシージャを調整することによって、より低いコーディングレートを伴うブロードキャスティングＰＤＳＣＨのための方法を提供する。
【００７０】
いくつかの実施形態では、基礎としてユニキャストＴＢＳ決定プロシージャを使用するわずかに異なるＴＢＳ決定プロシージャが、ブロードキャストＰＤＳＣＨのために指定される。すなわち、ＰＤＳＣＨが、Ｃ−ＲＮＴＩ、ＴＣ−ＲＮＴＩ、ＣＳ−ＲＮＴＩによってスクランブルされた巡回冗長検査（ＣＲＣ）とともにＰＤＣＣＨによって割り振られるとき、ユニキャストＴＢＳ決定プロシージャが適用される。ＰＤＳＣＨが、ＳＩ−ＲＮＴＩ、ＲＡ−ＲＮＴＩ、またはＰ−ＲＮＴＩによってスクランブルされたＣＲＣとともにＰＤＣＣＨによって割り振られるとき、修正されたプロシージャが適用される。Ｃ−ＲＮＴＩ、ＴＣ−ＲＮＴＩ、およびＣＳ−ＲＮＴＩは、無線ネットワーク一時識別子（ＲＮＴＩ）、特に、それぞれ、セルＲＮＴＩ、一時セルＲＮＴＩ、および設定されたスケジューリングＲＮＴＩを指す。ＳＩ−ＲＮＴＩ、ＲＡ−ＲＮＴＩ、およびＰ−ＲＮＴＩは、それぞれ、システム情報ＲＮＴＩ、ランダムアクセスＲＮＴＩ、およびページングＲＮＴＩを指す。
【００７１】
３ＧＰＰ  ＴＳ３８．２１４  Ｖ１５．０．０のセクション５．１．３に基づいて３つの方法が以下で与えられる。
【００７２】
方法Ａ−１．ＴＢＳ決定プロシージャの中間変数において、スケーリングファクタα（α＜１）を使用する。
・  一例では、ＰＲＢ内でＰＤＳＣＨのために割り当てられたリソースエレメントの数（Ｎ’ＲＥ）がスケーリングされる。
2021512557.tif 000025
・  別の例では、ｎＰＲＢがスケーリングされ、ここで、ｎＰＲＢは、ＵＥのための割り当てられたＰＲＢの総数である。したがって、ＮＲＥ＝ｍｉｎ（１５６，Ｎ’ＲＥ）×α×ｎＰＲＢである
・  また別の例では、情報ビットの中間数（Ｎｉｎｆｏ）がスケーリングされ、したがって、Ｎｉｎｆｏ＝α＊ＮＲＥ＊Ｒ＊Ｑｍ＊υである
【００７３】
実施形態の第２のセットにおいて以下で示されているように、４位相シフトキーイング（ＱＰＳＫ）のみがブロードキャストＰＤＳＣＨに関連するので、１つのＭＣＳビットが節約され得る。この未使用ビットは、２つの異なるα値を指示するために使用され得る。たとえば、未使用ビット＝０である場合、α＝１／２であり、他の場合、α＝１／４である。上記で提供されたα値は例であり、他の値が使用され得る。たとえば、いくつかの実施形態では、スケーリングファクタを指示するために、２つ以上のビットが使用され得る。たとえば、２ビットが使用される場合、以下のα値、すなわち、ビット＝１１  α＝１、ビット＝０１  α＝１／２、ビット＝１０  α＝１／４、ビット＝００  α＝１／８が使用され得る。いくつかの実施形態では、異なるα値が、異なるＲＮＴＩ値にも関連付けられ得る。いくつかの実施形態では、適切なα値を選択するために、予約済みであるＤＣＩビットが使用され得る。いくつかの実施形態は、１つまたは複数のα値をＵＥに設定する（また、２つ以上の値の場合、複数の値のうちの１つを選択するために、ＤＣＩ中の（１つまたは複数の）あるビットを使用する）。
【００７４】
方法Ａ−２．Ｎ’ＲＥ計算において大きいオーバーヘッド値を使用する
現在、
2021512557.tif 000026
が、上位レイヤパラメータＸｏｈ−ＰＤＳＣＨによって設定されるオーバーヘッドである。Ｘｏｈ−ＰＤＳＣＨが設定（０、６、１２、または１８からの値）されない場合、Ｘｏｈ−ＰＤＳＣＨは０にセットされる。
【００７５】
ブロードキャストＰＤＳＣＨでは、より低いＴＢＳ、したがって、より低いコードレートを得るために、大きい
2021512557.tif 000027
値が使用され得る。一例では、Ｘｏｈ−ＰＤＳＣＨは、ＲＲＣ設定可能である最も高い値にセットされ、すなわち、Ｘｏｈ−ＰＤＳＣＨは、ＰＤＳＣＨがブロードキャストメッセージを搬送する場合、１８にセットされる。別の例では、Ｘｏｈ−ＰＤＳＣＨは、ＲＲＣ設定され得る値のセット中にない、あらかじめ規定された値にセットされる。たとえば、Ｘｏｈ−ＰＤＳＣＨは、ブロードキャストＰＤＳＣＨのためのセット｛２４、３６、４８、６０、７２｝から選択された１つの値にあらかじめ規定（設定）される。
【００７６】
実施形態の第２のセットにおいて以下で示されているように、ＱＰＳＫのみがブロードキャストＰＤＳＣＨに関連するので、１つのＭＣＳビットが節約され得る。この未使用ビットは、２つの異なる
2021512557.tif 000028
値を指示するために使用され得る。たとえば、未使用ビット＝０である場合、
2021512557.tif 000029
であり、他の場合、
2021512557.tif 000030
である。異なる
2021512557.tif 000031
値が、異なるＲＮＴＩ値にも関連付けられ得る。いくつかの実施形態では、適切な
2021512557.tif 000032
値を選択するために、予約済みであるＤＣＩビットが使用され得る。
【００７７】
方法Ａ−３：非線形ＴＢＳ修正
・  いくつかの実施形態では、ＴＢＳ計算において使用されるＰＲＢの数は、割り当てられたＰＲＢの数モジュロＸである。
〇  たとえば、Ｘ＝５を考慮する。ＲＡＲでは、３つのＰＲＢ、８つのＰＲＢまたは１３個のＰＲＢのいずれかを割り当てることができ、それらはすべて、同じＴＢＳを与えることになる。
・  いくつかの実施形態では、これは、仕様において好適なパラメータＸを選定することによって、ブロードキャスティングＰＤＳＣＨのための利点を提供し得る。
・  最大ＳＩ  ＴＢＳを制限することを回避することを考慮すると、システム情報（ＳＩ）に関するいくつかの課題が依然として存在し得る。
【００７８】
さらに、ＤＣＩ中のビット（たとえば、ブロードキャストＰＤＳＣＨがＱＰＳＫに限定されるので、ＭＣＳフィールドのビット）またはＤＣＩ中の別のフィールドが、複数のあらかじめ規定された／設定されたＸ値の中から１つを選択するために使用され得る。上記で説明された他の実施形態の場合のように、これらの実施形態は、ＲＮＴＩにも依存し得、たとえば、いくつかの実施形態では、この方法は、何らかのブロードキャストＲＮＴＩ、たとえばＰ−ＲＮＴＩおよびＲＡ−ＲＮＴＩのためにのみ適用される。ＲＮＴＩは、適切なＸ値を選択するためにも使用され得る。
【００７９】
方法Ａ−４：拡張ＴＢＳ決定
・  いくつかの実施形態では、対応するトランスポートブロックのための変調方式がＱＰＳＫに制限されるが、６４ＱＡＭ  ＭＣＳ表において可能にされるすべての２８個のスペクトル効率が、Ｐ／ＲＡ／ＳＩのためのＴＢＳ決定のためにサポート可能であり、すなわち、デバイスは、ＴＢＳ決定のためのＩ＿ＭＣＳに対応するＱｍを利用するが、トランスポートブロックのために適用される変調次数は、Ｑｍ’＝ｍｉｎ（Ｑｍ，２）によって与えられる。
・  さらに、非線形ＰＲＢマッピングを介して、フレキシブルなリソースブロック割り当てがＴＢＳ読取りをサポートすることができる。たとえば、割り当てられたＰＲＢの数について、ＴＢＳは、割り当てられたＰＲＢの数モジュロＸを介して決定される。
・  たとえば、Ｘ＝６である場合、１つのＰＲＢ、７つのＰＲＢ、１３個のＰＲＢは、同じＴＢＳを使用することになる。
【００８０】
実施形態の第２のセット：より低いスペクトル効率を伴うＭＣＳレベルを提供する
実施形態の第２のセットは、より低いスペクトル効率を伴うＭＣＳレベルを提供することによって、より低いコーディングレートを伴うブロードキャスティングＰＤＳＣＨのための方法を提供する。
【００８１】
いくつかの実施形態では、ブロードキャストＰＤＳＣＨのために、異なるＭＣＳ表が使用され得る。３ＧＰＰ  ＴＳ３８．２１４  Ｖ１５．０．１のセクション５．１．３に基づいて２つの方法が以下で与えられる。
【００８２】
方法Ｂ−１．拡張モバイルブロードバンド（ｅＭＢＢ）ＰＤＳＣＨのために現在規定されている、より低いＭＣＳエントリを含んでいるＭＣＳ表を使用する。
【００８３】
現在、ｅＭＢＢのＢＬＥＲターゲットよりも低いＢＬＥＲターゲットに達するために、たとえば、ＢＬＥＲターゲット＝１０−１ではなくＢＬＥＲターゲット＝１０−５に達するために、Ｒｅｌ−１５  ＮＲ  ＵＲＬＬＣのための新しいＭＣＳ表が規定されることが予想される。ＵＲＬＬＣ  ＰＤＳＣＨ  ＭＣＳ表は、ｅＭＢＢ  ＭＣＳ表のＭＣＳ０よりも低いＭＣＳ値を含んでいることが予想される。
【００８４】
いくつかの実施形態では、方法は、ブロードキャストＰＤＳＣＨが、ＮＲ  ＵＲＬＬＣ  ＭＣＳ表中のＭＣＳエントリを使用することを指定する。さらに、方法は、ブロードキャストＰＤＳＣＨが、より低いＢＬＥＲターゲットのためにＮＲ  ＵＲＬＬＣ  ＭＣＳ表中のＭＣＳエントリを使用することを指定することができる。
【００８５】
一例として、ＵＲＬＬＣ  ＭＣＳ表について、以下が提案された。ブロードキャストＰＤＳＣＨが、ＢＬＥＲターゲット＝１０−５の場合に以下のＮＲ  ＵＲＬＬＣ  ＭＣＳ表中のＭＣＳエントリを使用することが指定され得る。
【００８６】
さらに、ＤＣＩ中のビット（たとえば、ブロードキャストＰＤＳＣＨがＱＰＳＫに限定されるので、ＭＣＳフィールドのビット）またはＤＣＩ中の別のフィールドが、複数のＭＣＳ表の中から１つを選択するために使用され得る。いくつかの実施形態は、ＲＮＴＩにも依存し得、たとえば、いくつかの実施形態では、この方法は、何らかのブロードキャストＲＮＴＩ、たとえばＰ−ＲＮＴＩおよびＲＡ−ＲＮＴＩのためにのみ適用される。ＲＮＴＩは、適切なＭＣＳ表を選択するためにも使用され得る。
2021512557.tif 000033
【００８７】
いくつかの実施形態では、方法は、ブロードキャストＰＤＳＣＨが、表の一部分に対応するＭＣＳエントリを使用することを指定することができる。一例として、上記の表では、ブロードキャストＰＤＳＣＨは、下線で示されているスペクトル効率に対応するＭＣＳエントリを使用し得る。
【００８８】
方法Ｂ−２．特にブロードキャストＰＤＳＣＨのためにＭＣＳ表を構築する。
【００８９】
いくつかの実施形態では、特にブロードキャストＰＤＳＣＨのために設計されたＭＣＳ表は、ＱＰＳＫのみを含んでいることがあり、コードレートは、ｅＭＢＢペイロードのために利用可能であるものよりも低い。一例が以下に示されている。
【００９０】
わかるように、ｅＭＢＢペイロードのための３２エントリＭＣＳ表の代わりに、ＭＣＳ表中に１６個のエントリのみがある必要がある。したがって、ＤＣＩのＭＣＳフィールド中の１ビットが節約される。節約されたビットは、ＵＥに他の情報を提供するために使用され得る。
【００９１】
代替的に、このビットは、特にブロードキャストＰＤＳＣＨのために設計された表を使用すべきなのか、デフォルトＭＣＳ表を使用すべきなのかを指示するために、使用され得る。上記で説明されたように、ＱＰＳＫのみが、一般に、ブロードキャストＰＤＳＣＨのためにサポートされる。
2021512557.tif 000034
【００９２】
実施形態の第３および第４のセット：時間領域における繰返しを介して信頼性を改善する
実施形態の第３のセットでは、通常のＰＤＳＣＨと同様のブロードキャスティングＰＤＳＣＨのために、スロットアグリゲーションが使用される。スロットアグリゲーション関係情報は、セル固有ＲＲＣメッセージ中で、または対応するＤＣＩ中の未使用／予約済みビットのうちのいくつかを使用することを介して提供され得る。
【００９３】
実施形態の第４のセットでは、時間領域繰返しが導入され得る。いくつかの実施形態では、時間領域繰返しは、ブロードキャスティングＰＤＳＣＨのためのＤＣＩ中で指示され得る。
【００９４】
いくつかの実施形態では、ＰＤＳＣＨのみが繰り返され、たとえば、１つのＰＤＣＣＨのみが、すべてのＰＤＳＣＨ繰返しをスケジュールするために使用され、ここで、すべての繰返しにおいて、同じ冗長バージョン（ＲＶ）またはいくつかの固定ＲＶパターンが仮定され得る。
【００９５】
いくつかの実施形態では、各繰返し期間において同じＰＤＳＣＨ周波数時間位置が仮定され得る、繰返し周期性を指示するために、対応するＤＣＩ中でＰＤＳＣＨ繰返しビット（ＰＤＳＣＨｒｅｐ）が導入され得る。
【００９６】
たとえば、以下のように、２ビットを使用して、繰返しが規定され得る。
００−＞繰返しなし
０１−＞２０ｍｓ周期性をもつ繰返し
１０−＞４０ｍｓ周期性をもつ繰返し
１１−＞８０ｍｓ周期性をもつ繰返し
【００９７】
いくつかの実施形態では、ＰＤＣＣＨとＰＤＳＣＨの両方が繰り返され、ＵＥがソフト合成を行うために、ＤＣＩ中の繰返しＩＤのために、いくつかの未使用ビットが使用される。いくつかの実施形態では、繰返しＩＤは１つの別個のパラメータであり得る。たとえば、繰返しＩＤのために２ビットを使用して、
００−＞第１の送信
０１−＞第２の送信
１０−＞第３の送信
１１−＞第４の送信
【００９８】
いくつかの実施形態では、繰返しＩＤは、他の知られているパラメータ、たとえば、ＤＣＩ中のＲＶパターンにひも付けられ得、ＲＶ０が第１の送信を意味し、ＲＶ３が最後の送信であり、または何らかのあらかじめ規定された順序のものである。
【００９９】
実施形態の第５のセット：周波数領域における繰返しを介して信頼性を改善する
実施形態の第５のセットでは、周波数領域繰返しが、ブロードキャスティングＰＤＳＣＨのためのＤＣＩ中で指示することによって導入され得る。たとえば、時間領域繰返しの実施形態の第３および第４のセットに関して上記で説明された技法が、ここで適用され得る。特に、時間領域の代わりに周波数領域が考慮され得、必要とされるまたはあらかじめ規定されたシグナリングは、たとえば、周波数領域位置およびＲＶパターンであり得る。
【０１００】
実施形態の第６のセット：より大きいＰＲＢ割り当てを取得するために、膨張したＴＢＳを使用すること
実施形態の第６のセット中の実施形態によれば、送信ブロックの実際のサイズよりも大きいペイロードサイズを搬送するために、より多数のＰＲＢがスケジュールされ得、大きいペイロードは、実際の（所望の）情報ビットと、パディングされたビットとを含んでいる。このようにして、周波数領域においてより多くのＰＲＢが使用されるときの周波数ダイバーシティからの利得が提供される（また、ＤＬでは、より多くのＲＢは、一般に、より多くの電力をも意味する）。ランダムアクセスＭｓｇ２の特殊な場合には、ｇＮＢは、複数のＲＡＲ（ランダムアクセス応答）を含み得る。ｇＮＢが、送るべき１つの現実のＲＡＲのみを有する場合、ｇＮＢは、ＴＢＳサイズを膨張させるために、１つまたは複数の仮想ＲＡＲを含めることができる。
【０１０１】
上記のすべての実施形態では、方法は、限定はしないが、ブロードキャスティングＰＤＳＣＨに適用され得、すなわち、方法は、さらなるＰＤＳＣＨ性能向上が必要とされるいくつかのシナリオにおいて必要とされる場合、通常のＰＤＳＣＨのためにも使用され得る。
【０１０２】
図１（Ｆｉｇｕｒｅ  ＱＱ１）：いくつかの実施形態による無線ネットワーク。
【０１０３】
本明細書で説明される主題は、任意の好適な構成要素を使用する任意の適切なタイプのシステムにおいて実装され得るが、本明細書で開示される実施形態は、図１に示されている例示的な無線ネットワークなどの無線ネットワークに関して説明される。簡単のために、図１の無線ネットワークは、ネットワークＱＱ１０６、ネットワークノードＱＱ１６０およびＱＱ１６０ｂ、ならびにＷＤ  ＱＱ１１０、ＱＱ１１０ｂおよびＱＱ１１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノードＱＱ１６０および無線デバイス（ＷＤ）ＱＱ１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【０１０４】
無線ネットワークは、任意のタイプの通信、電気通信、データ、セルラー、および／または無線ネットワーク、あるいは他の同様のタイプのシステムを備え、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【０１０５】
ネットワークＱＱ１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【０１０６】
ネットワークノードＱＱ１６０およびＷＤ  ＱＱ１１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【０１０７】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【０１０８】
図１では、ネットワークノードＱＱ１６０は、処理回路要素ＱＱ１７０と、デバイス可読媒体ＱＱ１８０と、インターフェースＱＱ１９０と、補助機器ＱＱ１８４と、電源ＱＱ１８６と、電力回路要素ＱＱ１８７と、アンテナＱＱ１６２とを含む。図１の例示的な無線ネットワーク中に示されているネットワークノードＱＱ１６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノードＱＱ１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体ＱＱ１８０は、複数の別個のハードドライブならびに複数のＲＡＭモジュールを備え得る）。
【０１０９】
同様に、ネットワークノードＱＱ１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノードＱＱ１６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノードＱＱ１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体ＱＱ１８０）、いくつかの構成要素は再使用され得る（たとえば、同じアンテナＱＱ１６２がＲＡＴによって共有され得る）。ネットワークノードＱＱ１６０は、ネットワークノードＱＱ１６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノードＱＱ１６０内の他の構成要素に統合され得る。
【０１１０】
処理回路要素ＱＱ１７０は、ネットワークノードによって提供されるものとして本明細書で説明される、任意の決定動作、計算動作、または同様の動作（たとえば、いくつかの取得動作）を実施するように設定される。処理回路要素ＱＱ１７０によって実施されるこれらの動作は、処理回路要素ＱＱ１７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【０１１１】
処理回路要素ＱＱ１７０は、単体で、またはデバイス可読媒体ＱＱ１８０などの他のネットワークノードＱＱ１６０構成要素と併せてのいずれかで、ネットワークノードＱＱ１６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素ＱＱ１７０は、デバイス可読媒体ＱＱ１８０に記憶された命令、または処理回路要素ＱＱ１７０内のメモリに記憶された命令を実行し得る。そのような機能性は、本明細書で説明される様々な無線特徴、機能、または利益のうちのいずれかを提供することを含み得る。いくつかの実施形態では、処理回路要素ＱＱ１７０は、システムオンチップ（ＳＯＣ）を含み得る。
【０１１２】
いくつかの実施形態では、処理回路要素ＱＱ１７０は、無線周波数（ＲＦ）トランシーバ回路要素ＱＱ１７２とベースバンド処理回路要素ＱＱ１７４とのうちの１つまたは複数を含み得る。いくつかの実施形態では、無線周波数（ＲＦ）トランシーバ回路要素ＱＱ１７２とベースバンド処理回路要素ＱＱ１７４とは、別個のチップ（またはチップのセット）、ボード、または無線ユニットおよびデジタルユニットなどのユニット上にあり得る。代替実施形態では、ＲＦトランシーバ回路要素ＱＱ１７２とベースバンド処理回路要素ＱＱ１７４との一部または全部は、同じチップまたはチップのセット、ボード、あるいはユニット上にあり得る。
【０１１３】
いくつかの実施形態では、ネットワークノード、基地局、ｅＮＢまたは他のそのようなネットワークデバイスによって提供されるものとして本明細書で説明される機能性の一部または全部は、デバイス可読媒体ＱＱ１８０、または処理回路要素ＱＱ１７０内のメモリに記憶された、命令を実行する処理回路要素ＱＱ１７０によって実施され得る。代替実施形態では、機能性の一部または全部は、ハードワイヤード様式などで、別個のまたは個別のデバイス可読媒体に記憶された命令を実行することなしに、処理回路要素ＱＱ１７０によって提供され得る。それらの実施形態のいずれでも、デバイス可読記憶媒体に記憶された命令を実行するか否かにかかわらず、処理回路要素ＱＱ１７０は、説明される機能性を実施するように設定され得る。そのような機能性によって提供される利益は、処理回路要素ＱＱ１７０単独に、またはネットワークノードＱＱ１６０の他の構成要素に限定されないが、全体としてネットワークノードＱＱ１６０によって、ならびに／または概してエンドユーザおよび無線ネットワークによって、享受される。
【０１１４】
デバイス可読媒体ＱＱ１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素ＱＱ１７０によって使用され得る情報、データ、および／または命令を記憶する、任意の他の揮発性または不揮発性、非一時的デバイス可読および／またはコンピュータ実行可能メモリデバイスを備え得る。デバイス可読媒体ＱＱ１８０は、コンピュータプログラム、ソフトウェア、論理、ルール、コード、表などのうちの１つまたは複数を含むアプリケーション、および／または処理回路要素ＱＱ１７０によって実行されることが可能であり、ネットワークノードＱＱ１６０によって利用される、他の命令を含む、任意の好適な命令、データまたは情報を記憶し得る。デバイス可読媒体ＱＱ１８０は、処理回路要素ＱＱ１７０によって行われた計算および／またはインターフェースＱＱ１９０を介して受信されたデータを記憶するために使用され得る。いくつかの実施形態では、処理回路要素ＱＱ１７０およびデバイス可読媒体ＱＱ１８０は、統合されていると見なされ得る。
【０１１５】
インターフェースＱＱ１９０は、ネットワークノードＱＱ１６０、ネットワークＱＱ１０６、および／またはＷＤ  ＱＱ１１０の間のシグナリングおよび／またはデータの有線または無線通信において使用される。示されているように、インターフェースＱＱ１９０は、たとえば有線接続上でネットワークＱＱ１０６との間でデータを送るおよび受信するための（１つまたは複数の）ポート／（１つまたは複数の）端末ＱＱ１９４を備える。インターフェースＱＱ１９０は、アンテナＱＱ１６２に結合されるか、またはいくつかの実施形態では、アンテナＱＱ１６２の一部であり得る、無線フロントエンド回路要素ＱＱ１９２をも含む。無線フロントエンド回路要素ＱＱ１９２は、フィルタＱＱ１９８と増幅器ＱＱ１９６とを備える。無線フロントエンド回路要素ＱＱ１９２は、アンテナＱＱ１６２および処理回路要素ＱＱ１７０に接続され得る。無線フロントエンド回路要素は、アンテナＱＱ１６２と処理回路要素ＱＱ１７０との間で通信される信号を調節するように設定され得る。無線フロントエンド回路要素ＱＱ１９２は、無線接続を介して他のネットワークノードまたはＷＤに送出されるべきであるデジタルデータを受信し得る。無線フロントエンド回路要素ＱＱ１９２は、デジタルデータを、フィルタＱＱ１９８および／または増幅器ＱＱ１９６の組合せを使用して適切なチャネルおよび帯域幅パラメータを有する無線信号に変換し得る。無線信号は、次いで、アンテナＱＱ１６２を介して送信され得る。同様に、データを受信するとき、アンテナＱＱ１６２は無線信号を収集し得、次いで、無線信号は無線フロントエンド回路要素ＱＱ１９２によってデジタルデータに変換される。デジタルデータは、処理回路要素ＱＱ１７０に受け渡され得る。他の実施形態では、インターフェースは、異なる構成要素および／または構成要素の異なる組合せを備え得る。
【０１１６】
いくつかの代替実施形態では、ネットワークノードＱＱ１６０は別個の無線フロントエンド回路要素ＱＱ１９２を含まないことがあり、代わりに、処理回路要素ＱＱ１７０は、無線フロントエンド回路要素を備え得、別個の無線フロントエンド回路要素ＱＱ１９２なしでアンテナＱＱ１６２に接続され得る。同様に、いくつかの実施形態では、ＲＦトランシーバ回路要素ＱＱ１７２の全部または一部が、インターフェースＱＱ１９０の一部と見なされ得る。さらに他の実施形態では、インターフェースＱＱ１９０は、無線ユニット（図示せず）の一部として、１つまたは複数のポートまたは端末ＱＱ１９４と、無線フロントエンド回路要素ＱＱ１９２と、ＲＦトランシーバ回路要素ＱＱ１７２とを含み得、インターフェースＱＱ１９０は、デジタルユニット（図示せず）の一部であるベースバンド処理回路要素ＱＱ１７４と通信し得る。
【０１１７】
アンテナＱＱ１６２は、無線信号を送り、および／または受信するように設定された、１つまたは複数のアンテナまたはアンテナアレイを含み得る。アンテナＱＱ１６２は、無線フロントエンド回路要素ＱＱ１９２に結合され得、データおよび／または信号を無線で送信および受信することが可能な任意のタイプのアンテナであり得る。いくつかの実施形態では、アンテナＱＱ１６２は、たとえば、２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナＱＱ１６２は、ネットワークノードＱＱ１６０とは別個であり得、インターフェースまたはポートを通してネットワークノードＱＱ１６０に接続可能であり得る。
【０１１８】
アンテナＱＱ１６２、インターフェースＱＱ１９０、および／または処理回路要素ＱＱ１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナＱＱ１６２、インターフェースＱＱ１９０、および／または処理回路要素ＱＱ１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１１９】
電力回路要素ＱＱ１８７は、電力管理回路要素を備えるか、または電力管理回路要素に結合され得、本明細書で説明される機能性を実施するための電力を、ネットワークノードＱＱ１６０の構成要素に供給するように設定される。電力回路要素ＱＱ１８７は、電源ＱＱ１８６から電力を受信し得る。電源ＱＱ１８６および／または電力回路要素ＱＱ１８７は、それぞれの構成要素に好適な形式で（たとえば、各それぞれの構成要素のために必要とされる電圧および電流レベルにおいて）、ネットワークノードＱＱ１６０の様々な構成要素に電力を提供するように設定され得る。電源ＱＱ１８６は、電力回路要素ＱＱ１８７および／またはネットワークノードＱＱ１６０中に含まれるか、あるいは電力回路要素ＱＱ１８７および／またはネットワークノードＱＱ１６０の外部にあるかのいずれかであり得る。たとえば、ネットワークノードＱＱ１６０は、電気ケーブルなどの入力回路要素またはインターフェースを介して外部電源（たとえば、電気コンセント）に接続可能であり得、それにより、外部電源は電力回路要素ＱＱ１８７に電力を供給する。さらなる例として、電源ＱＱ１８６は、電力回路要素ＱＱ１８７に接続された、または電力回路要素ＱＱ１８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１２０】
ネットワークノードＱＱ１６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図１に示されている構成要素以外の追加の構成要素を含み得る。たとえば、ネットワークノードＱＱ１６０は、ネットワークノードＱＱ１６０への情報の入力を可能にするための、およびネットワークノードＱＱ１６０からの情報の出力を可能にするための、ユーザインターフェース機器を含み得る。これは、ユーザが、ネットワークノードＱＱ１６０のための診断、メンテナンス、修復、および他のアドミニストレーティブ機能を実施することを可能にし得る。
【０１２１】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ−ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、Ｖ２Ｘ（Ｖｅｈｉｃｌｅ−ｔｏ−Ｅｖｅｒｙｔｈｉｎｇ）のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合、デバイスは無線端末と呼ばれることがある。さらに、上記で説明されたＷＤはモバイルであり得、その場合、デバイスはモバイルデバイスまたはモバイル端末と呼ばれるこ���もある。
【０１２２】
示されているように、無線デバイスＱＱ１１０は、アンテナＱＱ１１１と、インターフェースＱＱ１１４と、処理回路要素ＱＱ１２０と、デバイス可読媒体ＱＱ１３０と、ユーザインターフェース機器ＱＱ１３２と、補助機器ＱＱ１３４と、電源ＱＱ１３６と、電力回路要素ＱＱ１３７とを含む。ＷＤ  ＱＱ１１０は、ＷＤ  ＱＱ１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ  ＱＱ１１０内の他の構成要素と同じまたは異なるチップまたはチップのセットに統合され得る。
【０１２３】
アンテナＱＱ１１１は、無線信号を送り、および／または受信するように設定された、１つまたは複数のアンテナまたはアンテナアレイを含み得、インターフェースＱＱ１１４に接続される。いくつかの代替実施形態では、アンテナＱＱ１１１は、ＷＤ  ＱＱ１１０とは別個であり、インターフェースまたはポートを通してＷＤ  ＱＱ１１０に接続可能であり得る。アンテナＱＱ１１１、インターフェースＱＱ１１４、および／または処理回路要素ＱＱ１２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナＱＱ１１１は、インターフェースと見なされ得る。
【０１２４】
示されているように、インターフェースＱＱ１１４は、無線フロントエンド回路要素ＱＱ１１２とアンテナＱＱ１１１とを備える。無線フロントエンド回路要素ＱＱ１１２は、１つまたは複数のフィルタＱＱ１１８と増幅器ＱＱ１１６とを備える。無線フロントエンド回路要素ＱＱ１１２は、アンテナＱＱ１１１および処理回路要素ＱＱ１２０に接続され、アンテナＱＱ１１１と処理回路要素ＱＱ１２０との間で通信される信号を調節するように設定される。無線フロントエンド回路要素ＱＱ１１２は、アンテナＱＱ１１１に結合されるか、またはアンテナＱＱ１１１の一部であり得る。いくつかの実施形態では、ＷＤ  ＱＱ１１０は別個の無線フロントエンド回路要素ＱＱ１１２を含まないことがあり、むしろ、処理回路要素ＱＱ１２０は、無線フロントエンド回路要素を備え得、アンテナＱＱ１１１に接続され得る。同様に、いくつかの実施形態では、ＲＦトランシーバ回路要素ＱＱ１２２の一部または全部が、インターフェースＱＱ１１４の一部と見なされ得る。無線フロントエンド回路要素ＱＱ１１２は、無線接続を介して他のネットワークノードまたはＷＤに送出されるべきであるデジタルデータを受信し得る。無線フロントエンド回路要素ＱＱ１１２は、デジタルデータを、フィルタＱＱ１１８および／または増幅器ＱＱ１１６の組合せを使用して適切なチャネルおよび帯域幅パラメータを有する無線信号に変換し得る。無線信号は、次いで、アンテナＱＱ１１１を介して送信され得る。同様に、データを受信するとき、アンテナＱＱ１１１は無線信号を収集し得、次いで、無線信号は無線フロントエンド回路要素ＱＱ１１２によってデジタルデータに変換される。デジタルデータは、処理回路要素ＱＱ１２０に受け渡され得る。他の実施形態では、インターフェースは、異なる構成要素および／または構成要素の異なる組合せを備え得る。
【０１２５】
処理回路要素ＱＱ１２０は、単体で、またはデバイス可読媒体ＱＱ１３０などの他のＷＤ  ＱＱ１１０構成要素と併せてのいずれかで、ＷＤ  ＱＱ１１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素ＱＱ１２０は、本明細書で開示される機能性を提供するために、デバイス可読媒体ＱＱ１３０に記憶された命令、または処理回路要素ＱＱ１２０内のメモリに記憶された命令を実行し得る。
【０１２６】
示されているように、処理回路要素ＱＱ１２０は、ＲＦトランシーバ回路要素ＱＱ１２２、ベースバンド処理回路要素ＱＱ１２４、およびアプリケーション処理回路要素ＱＱ１２６のうちの１つまたは複数を含む。他の実施形態では、処理回路要素は、異なる構成要素および／または構成要素の異なる組合せを備え得る。いくつかの実施形態では、ＷＤ  ＱＱ１１０の処理回路要素ＱＱ１２０は、ＳＯＣを備え得る。いくつかの実施形態では、ＲＦトランシーバ回路要素ＱＱ１２２、ベースバンド処理回路要素ＱＱ１２４、およびアプリケーション処理回路要素ＱＱ１２６は、別個のチップまたはチップのセット上にあり得る。代替実施形態では、ベースバンド処理回路要素ＱＱ１２４およびアプリケーション処理回路要素ＱＱ１２６の一部または全部は１つのチップまたはチップのセットになるように組み合わせられ得、ＲＦトランシーバ回路要素ＱＱ１２２は別個のチップまたはチップのセット上にあり得る。さらに代替の実施形態では、ＲＦトランシーバ回路要素ＱＱ１２２およびベースバンド処理回路要素ＱＱ１２４の一部または全部は同じチップまたはチップのセット上にあり得、アプリケーション処理回路要素ＱＱ１２６は別個のチップまたはチップのセット上にあり得る。また他の代替実施形態では、ＲＦトランシーバ回路要素ＱＱ１２２、ベースバンド処理回路要素ＱＱ１２４、およびアプリケーション処理回路要素ＱＱ１２６の一部または全部は、同じチップまたはチップのセット中で組み合わせられ得る。いくつかの実施形態では、ＲＦトランシーバ回路要素ＱＱ１２２は、インターフェースＱＱ１１４の一部であり得る。ＲＦトランシーバ回路要素ＱＱ１２２は、処理回路要素ＱＱ１２０のためのＲＦ信号を調節し得る。
【０１２７】
いくつかの実施形態では、ＷＤによって実施されるものとして本明細書で説明される機能性の一部または全部は、デバイス可読媒体ＱＱ１３０に記憶された命令を実行する処理回路要素ＱＱ１２０によって提供され得、デバイス可読媒体ＱＱ１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素ＱＱ１２０によって提供され得る。それらの特定の実施形態のいずれでも、デバイス可読記憶媒体に記憶された命令を実行するか否かにかかわらず、処理回路要素ＱＱ１２０は、説明される機能性を実施するように設定され得る。そのような機能性によって提供される利益は、処理回路要素ＱＱ１２０単独に、またはＷＤ  ＱＱ１１０の他の構成要素に限定されないが、全体としてＷＤ  ＱＱ１１０によって、ならびに／または概してエンドユーザおよび無線ネットワークによって、享受される。
【０１２８】
処理回路要素ＱＱ１２０は、ＷＤによって実施されるものとして本明細書で説明される、任意の決定動作、計算動作、または同様の動作（たとえば、いくつかの取得動作）を実施するように設定され得る。処理回路要素ＱＱ１２０によって実施されるようなこれらの動作は、処理回路要素ＱＱ１２０によって取得された情報を、たとえば、取得された情報を他の情報に変換することによって、処理すること、取得された情報または変換された情報をＷＤ  ＱＱ１１０によって記憶された情報と比較すること、ならびに／あるいは、取得された情報または変換された情報に基づいて、および前記処理が決定を行ったことの結果として、１つまたは複数の動作を実施することを含み得る。
【０１２９】
デバイス可読媒体ＱＱ１３０は、コンピュータプログラム、ソフトウェア、論理、ルール、コード、表などのうちの１つまたは複数を含むアプリケーション、および／または処理回路要素ＱＱ１２０によって実行されることが可能な他の命令を記憶するように動作可能であり得る。デバイス可読媒体ＱＱ１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素ＱＱ１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素ＱＱ１２０およびデバイス可読媒体ＱＱ１３０は、統合されていると見なされ得る。
【０１３０】
ユーザインターフェース機器ＱＱ１３２は、人間のユーザがＷＤ  ＱＱ１１０と対話することを可能にする構成要素を提供し得る。そのような対話は、視覚、聴覚、触覚など、多くの形式のものであり得る。ユーザインターフェース機器ＱＱ１３２は、ユーザへの出力を作り出すように、およびユーザがＷＤ  ＱＱ１１０への入力を提供することを可能にするように動作可能であり得る。対話のタイプは、ＷＤ  ＱＱ１１０にインストールされるユーザインターフェース機器ＱＱ１３２のタイプに応じて変動し得る。たとえば、ＷＤ  ＱＱ１１０がスマートフォンである場合、対話はタッチスクリーンを介したものであり得、ＷＤ  ＱＱ１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器ＱＱ１３２は、入力インターフェース、デバイスおよび回路、ならびに、出力インターフェース、デバイスおよび回路を含み得る。ユーザインターフェース機器ＱＱ１３２は、ＷＤ  ＱＱ１１０への情報の入力を可能にするように設定され、処理回路要素ＱＱ１２０が入力情報を処理することを可能にするために、処理回路要素ＱＱ１２０に接続される。ユーザインターフェース機器ＱＱ１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器ＱＱ１３２はまた、ＷＤ  ＱＱ１１０からの情報の出力を可能にするように、および処理回路要素ＱＱ１２０がＷＤ  ＱＱ１１０からの情報を出力することを可能にするように設定される。ユーザインターフェース機器ＱＱ１３２は、たとえば、スピーカー、ディスプレイ、振動回路要素、ＵＳＢポート、ヘッドフォンインターフェース、または他の出力回路要素を含み得る。ユーザインターフェース機器ＱＱ１３２の１つまたは複数の入力および出力インターフェース、デバイス、および回路を使用して、ＷＤ  ＱＱ１１０は、エンドユーザおよび／または無線ネットワークと通信し、エンドユーザおよび／または無線ネットワークが本明細書で説明される機能性から利益を得ることを可能にし得る。
【０１３１】
補助機器ＱＱ１３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器ＱＱ１３４の構成要素の包含およびタイプは、実施形態および／またはシナリオに応じて変動し得る。
【０１３２】
電源ＱＱ１３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ  ＱＱ１１０は、電源ＱＱ１３６から、本明細書で説明または指示される任意の機能性を行うために電源ＱＱ１３６からの電力を必要とする、ＷＤ  ＱＱ１１０の様々な部分に電力を配信するための、電力回路要素ＱＱ１３７をさらに備え得る。電力回路要素ＱＱ１３７は、いくつかの実施形態では、電力管理回路要素を備え得る。電力回路要素ＱＱ１３７は、追加または代替として、外部電源から電力を受信するように動作可能であり得、その場合、ＷＤ  ＱＱ１１０は、電力ケーブルなどの入力回路要素またはインターフェースを介して（電気コンセントなどの）外部電源に接続可能であり得る。電力回路要素ＱＱ１３７はまた、いくつかの実施形態では、外部電源から電源ＱＱ１３６に電力を配信するように動作可能であり得る。これは、たとえば、電源ＱＱ１３６の充電のためのものであり得る。電力回路要素ＱＱ１３７は、電源ＱＱ１３６からの電力に対して、その電力を、電力が供給されるＷＤ  ＱＱ１１０のそれぞれの構成要素に好適であるようにするために、任意のフォーマッティング、変換、または他の修正を実施し得る。
【０１３３】
図２（Ｆｉｇｕｒｅ  ＱＱ２）：いくつかの実施形態によるユーザ機器
【０１３４】
図２は、本明細書で説明される様々な態様による、ＵＥの一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ  ＱＱ２００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図２に示されているＵＥ  ＱＱ２００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図２はＵＥであるが、本明細書で説明される構成要素は、ＷＤに等しく適用可能であり、その逆も同様である。
【０１３５】
図２では、ＵＥ  ＱＱ２００は、入出力インターフェースＱＱ２０５、無線周波数（ＲＦ）インターフェースＱＱ２０９、ネットワーク接続インターフェースＱＱ２１１、ランダムアクセスメモリ（ＲＡＭ）ＱＱ２１７と読取り専用メモリ（ＲＯＭ）ＱＱ２１９と記憶媒体ＱＱ２２１などとを含むメモリＱＱ２１５、通信サブシステムＱＱ２３１、電源ＱＱ２１３、および／または他の構成要素、あるいはそれらの任意の組合せに動作可能に結合された、処理回路要素ＱＱ２０１を含む。記憶媒体ＱＱ２２１は、オペレーティングシステムＱＱ２２３と、アプリケーションプログラムＱＱ２２５と、データＱＱ２２７とを含む。他の実施形態では、記憶媒体ＱＱ２２１は、他の同様のタイプの情報を含み得る。いくつかのＵＥは、図２に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１３６】
図２では、処理回路要素ＱＱ２０１は、コンピュータ命令およびデータを処理するように設定され得る。処理回路要素ＱＱ２０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素ＱＱ２０１は、２つの中央処理ユニット（ＣＰＵ）を含み得る。データは、コンピュータによる使用に好適な形式での情報であり得る。
【０１３７】
図示された実施形態では、入出力インターフェースＱＱ２０５は、入力デバイス、出力デバイス、または入出力デバイスに通信インターフェースを提供するように設定され得る。ＵＥ  ＱＱ２００は、入出力インターフェースＱＱ２０５を介して出力デバイスを使用するように設定され得る。出力デバイスは、入力デバイスと同じタイプのインターフェースポートを使用し得る。たとえば、ＵＥ  ＱＱ２００への入力およびＵＥ  ＱＱ２００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ  ＱＱ２００は、ユーザがＵＥ  ＱＱ２００に情報をキャプチャすることを可能にするために、入出力インターフェースＱＱ２０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１３８】
図２では、ＲＦインターフェースＱＱ２０９は、送信機、受信機、およびアンテナなど、ＲＦ構成要素に通信インターフェースを提供するように設定され得る。ネットワーク接続インターフェースＱＱ２１１は、ネットワークＱＱ２４３ａに通信インターフェースを提供するように設定され得る。ネットワークＱＱ２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワークＱＱ２４３ａは、Ｗｉ−Ｆｉネットワークを備え得る。ネットワーク接続インターフェースＱＱ２１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェースＱＱ２１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【０１３９】
ＲＡＭ  ＱＱ２１７は、オペレーティングシステム、アプリケーションプログラム、およびデバイスドライバなど、ソフトウェアプログラムの実行中に、データまたはコンピュータ命令の記憶またはキャッシングを提供するために、バスＱＱ２０２を介して処理回路要素ＱＱ２０１にインターフェースするように設定され得る。ＲＯＭ  ＱＱ２１９は、処理回路要素ＱＱ２０１にコンピュータ命令またはデータを提供するように設定され得る。たとえば、ＲＯＭ  ＱＱ２１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体ＱＱ２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体ＱＱ２２１は、オペレーティングシステムＱＱ２２３と、ウェブブラウザアプリケーション、ウィジェットまたはガジェットエンジン、あるいは別のアプリケーションなどのアプリケーションプログラムＱＱ２２５と、データファイルＱＱ２２７とを含むように設定され得る。記憶媒体ＱＱ２２１は、ＵＥ  ＱＱ２００による使用のために、多様な様々なオペレーティングシステムまたはオペレーティングシステムの組合せのうちのいずれかを記憶し得る。
【０１４０】
記憶媒体ＱＱ２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体ＱＱ２２１は、ＵＥ  ＱＱ２００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体ＱＱ２２１中に有形に具現され得、記憶媒体ＱＱ２２１はデバイス可読媒体を備え得る。
【０１４１】
図２では、処理回路要素ＱＱ２０１は、通信サブシステムＱＱ２３１を使用してネットワークＱＱ２４３ｂと通信するように設定され得る。ネットワークＱＱ２４３ａとネットワークＱＱ２４３ｂとは、同じ１つまたは複数のネットワークまたは異なる１つまたは複数のネットワークであり得る。通信サブシステムＱＱ２３１は、ネットワークＱＱ２４３ｂと通信するために使用される１つまたは複数のトランシーバを含むように設定され得る。たとえば、通信サブシステムＱＱ２３１は、ＩＥＥＥ８０２．ＱＱ２、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機ＱＱ２３３および／または受信機ＱＱ２３５を含み得る。さらに、各トランシーバの送信機ＱＱ２３３および受信機ＱＱ２３５は、回路構成要素、ソフトウェアまたはファームウェアを共有し得るか、または、代替的に、別個に実装され得る。
【０１４２】
示されている実施形態では、通信サブシステムＱＱ２３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステムＱＱ２３１は、セルラー通信と、Ｗｉ−Ｆｉ通信と、Ｂｌｕｅｔｏｏｔｈ通信と、ＧＰＳ通信とを含み得る。ネットワークＱＱ２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワークＱＱ２４３ｂは、セルラーネットワーク、Ｗｉ−Ｆｉネットワーク、および／またはニアフィールドネットワークであり得る。電源ＱＱ２１３は、ＵＥ  ＱＱ２００の構成要素に交流（ＡＣ）または直流（ＤＣ）電力を提供するように設定され得る。
【０１４３】
本明細書で説明される特徴、利益および／または機能は、ＵＥ  ＱＱ２００の構成要素のうちの１つにおいて実装されるか、またはＵＥ  ＱＱ２００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステムＱＱ２３１は、本明細書で説明される構成要素のうちのいずれかを含むように設定され得る。さらに、処理回路要素ＱＱ２０１は、バスＱＱ２０２上でそのような構成要素のうちのいずれかと通信するように設定され得る。別の例では、そのような構成要素のうちのいずれかは、処理回路要素ＱＱ２０１によって実行されたとき、本明細書で説明される対応する機能を実施する、メモリに記憶されたプログラム命令によって表され得る。別の例では、そのような構成要素のうちのいずれかの機能性は、処理回路要素ＱＱ２０１と通信サブシステムＱＱ２３１との間で分割され得る。別の例では、そのような構成要素のうちのいずれかの非計算集約的機能が、ソフトウェアまたはファームウェアで実装され得、計算集約的機能がハードウェアで実装され得る。
【０１４４】
図３（Ｆｉｇｕｒｅ  ＱＱ３）：いくつかの実施形態による仮想化環境
【０１４５】
図３は、いくつかの実施形態によって実装される機能が仮想化され得る、仮想化環境ＱＱ３００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１４６】
いくつかの実施形態では、本明細書で説明される機能の一部または全部は、ハードウェアノードＱＱ３３０のうちの１つまたは複数によってホストされる１つまたは複数の仮想環境ＱＱ３００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１４７】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーションＱＱ３２０によって実装され得る。アプリケーションＱＱ３２０は、処理回路要素ＱＱ３６０とメモリＱＱ３９０−１とを備えるハードウェアＱＱ３３０を提供する、仮想化環境ＱＱ３００において稼働される。メモリＱＱ３９０−１は、処理回路要素ＱＱ３６０によって実行可能な命令ＱＱ３９５を含んでおり、それにより、アプリケーションＱＱ３２０は、本明細書で開示される特徴、利益、および／または機能のうちの１つまたは複数を提供するように動作可能である。
【０１４８】
仮想化環境ＱＱ３００は、１つまたは複数のプロセッサのセットまたは処理回路要素ＱＱ３６０を備える、汎用または専用のネットワークハードウェアデバイスＱＱ３３０を備え、１つまたは複数のプロセッサのセットまたは処理回路要素ＱＱ３６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリＱＱ３９０−１を備え得、メモリＱＱ３９０−１は、処理回路要素ＱＱ３６０によって実行される命令ＱＱ３９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）ＱＱ３７０を備え得、ネットワークインターフェースコントローラ（ＮＩＣ）ＱＱ３７０は物理ネットワークインターフェースＱＱ３８０を含む。各ハードウェアデバイスは、処理回路要素ＱＱ３６０によって実行可能なソフトウェアＱＱ３９５および／または命令を記憶した、非一時的、永続的、機械可読記憶媒体ＱＱ３９０−２をも含み得る。ソフトウェアＱＱ３９５は、１つまたは複数の（ハイパーバイザとも呼ばれる）仮想化レイヤＱＱ３５０をインスタンス化するためのソフトウェア、仮想マシンＱＱ３４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１４９】
仮想マシンＱＱ３４０は、仮想処理、仮想メモリ、仮想ネットワーキングまたはインターフェース、および仮想記憶域を備え、対応する仮想化レイヤＱＱ３５０またはハイパーバイザによって稼働され得る。仮想アプライアンスＱＱ３２０の事例の異なる実施形態が、仮想マシンＱＱ３４０のうちの１つまたは複数上で実装され得、実装は異なるやり方で行われ得る。
【０１５０】
動作中に、処理回路要素ＱＱ３６０は、ソフトウェアＱＱ３９５を実行してハイパーバイザまたは仮想化レイヤＱＱ３５０をインスタンス化し、ハイパーバイザまたは仮想化レイヤＱＱ３５０は、時々、仮想マシンモニタ（ＶＭＭ）と呼ばれることがある。仮想化レイヤＱＱ３５０は、仮想マシンＱＱ３４０に、ネットワーキングハードウェアのように見える仮想動作プラットフォームを提示し得る。
【０１５１】
図３に示されているように、ハードウェアＱＱ３３０は、一般的なまたは特定の構成要素をもつスタンドアロンネットワークノードであり得る。ハードウェアＱＱ３３０は、アンテナＱＱ３２２５を備え得、仮想化を介していくつかの機能を実装し得る。代替的に、ハードウェアＱＱ３３０は、多くのハードウェアノードが協働し、特に、アプリケーションＱＱ３２０のライフサイクル管理を監督する、管理およびオーケストレーション（ＭＡＮＯ）ＱＱ３１００を介して管理される、（たとえば、データセンターまたは顧客構内機器（ＣＰＥ）の場合のような）ハードウェアのより大きいクラスタの一部であり得る。
【０１５２】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１５３】
ＮＦＶのコンテキストでは、仮想マシンＱＱ３４０は、プログラムを、それらのプログラムが、物理的な仮想化されていないマシン上で実行しているかのように稼働する、物理マシンのソフトウェア実装形態であり得る。仮想マシンＱＱ３４０の各々と、その仮想マシンに専用のハードウェアであろうと、および／またはその仮想マシンによって仮想マシンＱＱ３４０のうちの他の仮想マシンと共有されるハードウェアであろうと、その仮想マシンを実行するハードウェアＱＱ３３０のその一部とは、別個の仮想ネットワークエレメント（ＶＮＥ）を形成する。
【０１５４】
さらにＮＦＶのコンテキストでは、仮想ネットワーク機能（ＶＮＦ）は、ハードウェアネットワーキングインフラストラクチャＱＱ３３０の上の１つまたは複数の仮想マシンＱＱ３４０において稼働する固有のネットワーク機能をハンドリングすることを担当し、図３中のアプリケーションＱＱ３２０に対応する。
【０１５５】
いくつかの実施形態では、各々、１つまたは複数の送信機ＱＱ３２２０と１つまたは複数の受信機ＱＱ３２１０とを含む、１つまたは複数の無線ユニットＱＱ３２００は、１つまたは複数のアンテナＱＱ３２２５に結合され得る。無線ユニットＱＱ３２００は、１つまたは複数の適切なネットワークインターフェースを介してハードウェアノードＱＱ３３０と直接通信し得、無線アクセスノードまたは基地局など、無線能力をもつ仮想ノードを提供するために仮想構成要素と組み合わせて使用され得る。
【０１５６】
いくつかの実施形態では、何らかのシグナリングが、ハードウェアノードＱＱ３３０と無線ユニットＱＱ３２００との間の通信のために代替的に使用され得る制御システムＱＱ３２３０を使用して、実現され得る。
【０１５７】
図４（Ｆｉｇｕｒｅ  ＱＱ４）：いくつかの実施形態による、中間ネットワークを介してホストコンピュータに接続された通信ネットワーク
【０１５８】
図４を参照すると、一実施形態によれば、通信システムが、無線アクセスネットワークなどのアクセスネットワークＱＱ４１１とコアネットワークＱＱ４１４とを備える、３ＧＰＰタイプセルラーネットワークなどの通信ネットワークＱＱ４１０を含む。アクセスネットワークＱＱ４１１は、ＮＢ、ｅＮＢ、ｇＮＢまたは他のタイプの無線アクセスポイントなど、複数の基地局ＱＱ４１２ａ、ＱＱ４１２ｂ、ＱＱ４１２ｃを備え、各々が、対応するカバレッジエリアＱＱ４１３ａ、ＱＱ４１３ｂ、ＱＱ４１３ｃを規定する。各基地局ＱＱ４１２ａ、ＱＱ４１２ｂ、ＱＱ４１２ｃは、有線接続または無線接続ＱＱ４１５上でコアネットワークＱＱ４１４に接続可能である。カバレッジエリアＱＱ４１３ｃ中に位置する第１のＵＥ  ＱＱ４９１が、対応する基地局ＱＱ４１２ｃに無線で接続するか、または対応する基地局ＱＱ４１２ｃによってページングされるように設定される。カバレッジエリアＱＱ４１３ａ中の第２のＵＥ  ＱＱ４９２が、対応する基地局ＱＱ４１２ａに無線で接続可能である。この例では複数のＵＥ  ＱＱ４９１、ＱＱ４９２が示されているが、開示される実施形態は、唯一のＵＥがカバレッジエリア中にある状況、または唯一のＵＥが対応する基地局ＱＱ４１２に接続している状況に等しく適用可能である。
【０１５９】
通信ネットワークＱＱ４１０は、それ自体、ホストコンピュータＱＱ４３０に接続され、ホストコンピュータＱＱ４３０は、スタンドアロンサーバ、クラウド実装サーバ、分散型サーバのハードウェアおよび／またはソフトウェアにおいて、あるいはサーバファーム中の処理リソースとして具現され得る。ホストコンピュータＱＱ４３０は、サービスプロバイダの所有または制御下にあり得、あるいはサービスプロバイダによってまたはサービスプロバイダに代わって動作され得る。通信ネットワークＱＱ４１０とホストコンピュータＱＱ４３０との間の接続ＱＱ４２１およびＱＱ４２２は、コアネットワークＱＱ４１４からホストコンピュータＱＱ４３０に直接延び得るか、または随意の中間ネットワークＱＱ４２０を介して進み得る。中間ネットワークＱＱ４２０は、パブリックネットワーク、プライベートネットワーク、またはホストされたネットワークのうちの１つ、またはそれらのうちの２つ以上の組合せであり得、中間ネットワークＱＱ４２０は、もしあれば、バックボーンネットワークまたはインターネットであり得、特に、中間ネットワークＱＱ４２０は、２つまたはそれ以上のサブネットワーク（図示せず）を備え得る。
【０１６０】
図４の通信システムは全体として、接続されたＵＥ  ＱＱ４９１、ＱＱ４９２とホストコンピュータＱＱ４３０との間のコネクティビティを可能にする。コネクティビティは、オーバーザトップ（ＯＴＴ）接続ＱＱ４５０として説明され得る。ホストコンピュータＱＱ４３０および接続されたＵＥ  ＱＱ４９１、ＱＱ４９２は、アクセスネットワークＱＱ４１１、コアネットワークＱＱ４１４、任意の中間ネットワークＱＱ４２０、および考えられるさらなるインフラストラクチャ（図示せず）を媒介として使用して、ＯＴＴ接続ＱＱ４５０を介して、データおよび／またはシグナリングを通信するように設定される。ＯＴＴ接続ＱＱ４５０は、ＯＴＴ接続ＱＱ４５０が通過する、参加する通信デバイスが、アップリンクおよびダウンリンク通信のルーティングに気づいていないという意味で、透過的であり得る。たとえば、基地局ＱＱ４１２は、接続されたＵＥ  ＱＱ４９１にフォワーディング（たとえば、ハンドオーバ）されるべき、ホストコンピュータＱＱ４３０から発生したデータを伴う着信ダウンリンク通信の過去のルーティングについて、通知されないことがあるかまたは通知される必要がない。同様に、基地局ＱＱ４１２は、ＵＥ  ＱＱ４９１から発生してホストコンピュータＱＱ４３０に向かう発信アップリンク通信の将来ルーティングに気づいている必要がない。
【０１６１】
図５（Ｆｉｇｕｒｅ  ＱＱ５）：いくつかの実施形態による、部分的無線接続上で基地局を介してユーザ機器と通信するホストコンピュータ
【０１６２】
次に、一実施形態による、前の段落において説明されたＵＥ、基地局およびホストコンピュータの例示的な実装形態が、図５を参照しながら説明される。通信システムＱＱ５００では、ホストコンピュータＱＱ５１０が、通信システムＱＱ５００の異なる通信デバイスのインターフェースとの有線接続または無線接続をセットアップおよび維持するように設定された通信インターフェースＱＱ５１６を含む、ハードウェアＱＱ５１５を備える。ホストコンピュータＱＱ５１０は、記憶能力および／または処理能力を有し得る、処理回路要素ＱＱ５１８をさらに備える。特に、処理回路要素ＱＱ５１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータＱＱ５１０は、ホストコンピュータＱＱ５１０に記憶されるかまたはホストコンピュータＱＱ５１０によってアクセス可能であり、処理回路要素ＱＱ５１８によって実行可能である、ソフトウェアＱＱ５１１をさらに備える。ソフトウェアＱＱ５１１は、ホストアプリケーションＱＱ５１２を含む。ホストアプリケーションＱＱ５１２は、ＵＥ  ＱＱ５３０およびホストコンピュータＱＱ５１０において終端するＯＴＴ接続ＱＱ５５０を介して接続するＵＥ  ＱＱ５３０など、リモートユーザにサービスを提供するように動作可能であり得る。リモートユーザにサービスを提供する際に、ホストアプリケーションＱＱ５１２は、ＯＴＴ接続ＱＱ５５０を使用して送信されるユーザデータを提供し得る。
【０１６３】
通信システムＱＱ５００は、通信システム中に提供される基地局ＱＱ５２０をさらに含み、基地局ＱＱ５２０は、基地局ＱＱ５２０がホストコンピュータＱＱ５１０およびＵＥ  ＱＱ５３０と通信することを可能にするハードウェアＱＱ５２５を備える。ハードウェアＱＱ５２５は、通信システムＱＱ５００の異なる通信デバイスのインターフェースとの有線接続または無線接続をセットアップおよび維持するための通信インターフェースＱＱ５２６、ならびに基地局ＱＱ５２０によってサーブされるカバレッジエリア（図５に図示せず）中に位置するＵＥ  ＱＱ５３０との少なくとも無線接続ＱＱ５７０をセットアップおよび維持するための無線インターフェースＱＱ５２７を含み得る。通信インターフェースＱＱ５２６は、ホストコンピュータＱＱ５１０への接続ＱＱ５６０を容易にするように設定され得る。接続ＱＱ５６０は直接であり得るか、あるいは、接続ＱＱ５６０は、通信システムのコアネットワーク（図５に図示せず）を、および／または通信システムの外部の１つまたは複数の中間ネットワークを通過し得る。図示の実施形態では、基地局ＱＱ５２０のハードウェアＱＱ５２５は、処理回路要素ＱＱ５２８をさらに含み、処理回路要素ＱＱ５２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局ＱＱ５２０は、内部的に記憶されるかまたは外部接続を介してアクセス可能なソフトウェアＱＱ５２１をさらに有する。
【０１６４】
通信システムＱＱ５００は、すでに言及されたＵＥ  ＱＱ５３０をさらに含む。ＵＥ  ＱＱ５３０のハードウェアＱＱ５３５は、ＵＥ  ＱＱ５３０が現在位置するカバレッジエリアをサーブする基地局との無線接続ＱＱ５７０をセットアップおよび維持するように設定された、無線インターフェースＱＱ５３７を含み得る。ＵＥ  ＱＱ５３０のハードウェアＱＱ５３５は、処理回路要素ＱＱ５３８をさらに含み、処理回路要素ＱＱ５３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ  ＱＱ５３０は、ＵＥ  ＱＱ５３０に記憶されるかまたはＵＥ  ＱＱ５３０によってアクセス可能であり、処理回路要素ＱＱ５３８によって実行可能である、ソフトウェアＱＱ５３１をさらに備える。ソフトウェアＱＱ５３１は、クライアントアプリケーションＱＱ５３２を含む。クライアントアプリケーションＱＱ５３２は、ホストコンピュータＱＱ５１０のサポートのもとに、ＵＥ  ＱＱ５３０を介して人間のまたは人間でないユーザにサービスを提供するように動作可能であり得る。ホストコンピュータＱＱ５１０では、実行しているホストアプリケーションＱＱ５１２は、ＵＥ  ＱＱ５３０およびホストコンピュータＱＱ５１０において終端するＯＴＴ接続ＱＱ５５０を介して、実行しているクライアントアプリケーションＱＱ５３２と通信し得る。ユーザにサービスを提供する際に、クライアントアプリケーションＱＱ５３２は、ホストアプリケーションＱＱ５１２から要求データを受信し、要求データに応答してユーザデータを提供し得る。ＯＴＴ接続ＱＱ５５０は、要求データとユーザデータの両方を転送し得る。クライアントアプリケーションＱＱ５３２は、クライアントアプリケーションＱＱ５３２が提供するユーザデータを生成するためにユーザと対話し得る。
【０１６５】
図５に示されているホストコンピュータＱＱ５１０、基地局ＱＱ５２０およびＵＥ  ＱＱ５３０は、それぞれ、図４のホストコンピュータＱＱ４３０、基地局ＱＱ４１２ａ、ＱＱ４１２ｂ、ＱＱ４１２ｃのうちの１つ、およびＵＥ  ＱＱ４９１、ＱＱ４９２のうちの１つと同様または同等であり得ることに留意されたい。つまり、これらのエンティティの内部の働きは、図５に示されているようなものであり得、別個に、周囲のネットワークトポロジーは、図４のものであり得る。
【０１６６】
図５では、ＯＴＴ接続ＱＱ５５０は、仲介デバイスとこれらのデバイスを介したメッセージの正確なルーティングとへの明示的言及なしに、基地局ＱＱ５２０を介したホストコンピュータＱＱ５１０とＵＥ  ＱＱ５３０との間の通信を示すために抽象的に描かれている。ネットワークインフラストラクチャが、ルーティングを決定し得、ネットワークインフラストラクチャは、ＵＥ  ＱＱ５３０からまたはホストコンピュータＱＱ５１０を動作させるサービスプロバイダから、またはその両方からルーティングを隠すように設定され得る。ＯＴＴ接続ＱＱ５５０がアクティブである間、ネットワークインフラストラクチャは、さらに、ネットワークインフラストラクチャが（たとえば、ネットワークの負荷分散考慮または再設定に基づいて）ルーティングを動的に変更する判定を行い得る。
【０１６７】
ＵＥ  ＱＱ５３０と基地局ＱＱ５２０との間の無線接続ＱＱ５７０は、本開示全体にわたって説明される実施形態の教示に従う。様々な実施形態のうちの１つまたは複数は、無線接続ＱＱ５７０が最後のセグメントを形成するＯＴＴ接続ＱＱ５５０を使用して、ＵＥ  ＱＱ５３０に提供されるＯＴＴサービスの性能を改善する。より正確には、これらの実施形態の教示は、データレートを改善するか、またはレイテンシを低減し、それにより、低減されたユーザ待ち時間およびより良好な応答性などの利益を提供し得る。
【０１６８】
１つまたは複数の実施形態が改善する、データレート、レイテンシおよび他のファクタを監視する目的での、測定プロシージャが提供され得る。測定結果の変動に応答して、ホストコンピュータＱＱ５１０とＵＥ  ＱＱ５３０との間のＯＴＴ接続ＱＱ５５０を再設定するための随意のネットワーク機能性がさらにあり得る。測定プロシージャおよび／またはＯＴＴ接続ＱＱ５５０を再設定するためのネットワーク機能性は、ホストコンピュータＱＱ５１０のソフトウェアＱＱ５１１およびハードウェアＱＱ５１５でまたはＵＥ  ＱＱ５３０のソフトウェアＱＱ５３１およびハードウェアＱＱ５３５で、またはその両方で実装され得る。実施形態では、ＯＴＴ接続ＱＱ５５０が通過する通信デバイスにおいてまたはそれに関連して、センサー（図示せず）が展開され得、センサーは、上記で例示された監視された量の値を供給すること、またはソフトウェアＱＱ５１１、ＱＱ５３１が監視された量を算出または推定し得る他の物理量の値を供給することによって、測定プロシージャに参加し得る。ＯＴＴ接続ＱＱ５５０の再設定は、メッセージフォーマット、再送信セッティング、好ましいルーティングなどを含み得、再設定は、基地局ＱＱ５２０に影響を及ぼす必要がなく、再設定は、基地局ＱＱ５２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータＱＱ５１０の測定を容易にするプロプライエタリＵＥシグナリングを伴い得る。測定は、ソフトウェアＱＱ５１１およびＱＱ５３１が、ソフトウェアＱＱ５１１およびＱＱ５３１が伝搬時間、エラーなどを監視する間にＯＴＴ接続ＱＱ５５０を使用して、メッセージ、特に空のまたは「ダミー」メッセージが送信されることを引き起こすことにおいて、実装され得る。
【０１６９】
図６（Ｆｉｇｕｒｅ  ＱＱ６）：いくつかの実施形態による、ホストコンピュータと、基地局と、ユーザ機器とを含む通信システムにおいて実装される方法
【０１７０】
図６は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図６への図面参照のみがこのセクションに含まれる。ステップＱＱ６１０において、ホストコンピュータはユーザデータを提供する。ステップＱＱ６１０の（随意であり得る）サブステップＱＱ６１１において、ホストコンピュータは、ホストアプリケーションを実行することによって、ユーザデータを提供する。ステップＱＱ６２０において、ホストコンピュータは、ＵＥにユーザデータを搬送する送信を始動する。（随意であり得る）ステップＱＱ６３０において、基地局は、本開示全体にわたって説明される実施形態の教示に従って、ホストコンピュータが始動した送信において搬送されたユーザデータをＵＥに送信する。（また、随意であり得る）ステップＱＱ６４０において、ＵＥは、ホストコンピュータによって実行されるホストアプリケーションに関連付けられたクライアントアプリケーションを実行する。
【０１７１】
図７（Ｆｉｇｕｒｅ  ＱＱ７）：いくつかの実施形態による、ホストコンピュータと、基地局と、ユーザ機器とを含む通信システムにおいて実装される方法
【０１７２】
図７は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図７への図面参照のみがこのセクションに含まれる。方法のステップＱＱ７１０において、ホストコンピュータはユーザデータを提供する。随意のサブステップ（図示せず）において、ホストコンピュータは、ホストアプリケーションを実行することによって、ユーザデータを提供する。ステップＱＱ７２０において、ホストコンピュータは、ＵＥにユーザデータを搬送する送信を始動する。送信は、本開示全体にわたって説明される実施形態の教示に従って、基地局を介して進み得る。（随意であり得る）ステップＱＱ７３０において、ＵＥは、送信において搬送されたユーザデータを受信する。
【０１７３】
図８（Ｆｉｇｕｒｅ  ＱＱ８）：いくつかの実施形態による、ホストコンピュータと、基地局と、ユーザ機器とを含む通信システムにおいて実装される方法
【０１７４】
図８は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図８への図面参照のみがこのセクションに含まれる。（随意であり得る）ステップＱＱ８１０において、ＵＥは、ホストコンピュータによって提供された入力データを受信する。追加または代替として、ステップＱＱ８２０において、ＵＥはユーザデータを提供する。ステップＱＱ８２０の（随意であり得る）サブステップＱＱ８２１において、ＵＥは、クライアントアプリケーションを実行することによって、ユーザデータを提供する。ステップＱＱ８１０の（随意であり得る）サブステップＱＱ８１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップＱＱ８３０において、ホストコンピュータへのユーザデータの送信を始動する。方法のステップＱＱ８４０において、ホストコンピュータは、本開示全体にわたって説明される実施形態の教示に従って、ＵＥから送信されたユーザデータを受信する。
【０１７５】
図９（Ｆｉｇｕｒｅ  ＱＱ９）：いくつかの実施形態による、ホストコンピュータと、基地局と、ユーザ機器とを含む通信システムにおいて実装される方法
【０１７６】
図９は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図９への図面参照のみがこのセクションに含まれる。（随意であり得る）ステップＱＱ９１０において、本開示全体にわたって説明される実施形態の教示に従って、基地局は、ＵＥからユーザデータを受信する。（随意であり得る）ステップＱＱ９２０において、基地局は、ホストコンピュータへの、受信されたユーザデータの送信を始動する。（随意であり得る）ステップＱＱ９３０において、ホストコンピュータは、基地局によって始動された送信において搬送されたユーザデータを受信する。
【０１７７】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１７８】
図１０（Ｆｉｇｕｒｅ  ＶＶ０）：いくつかの実施形態による方法
【０１７９】
図１０は、いくつかの実施形態による方法を図示する。いくつかの実施形態では、方法は、上記で説明された基地局（たとえば、ｇＮＢ）など、ネットワークノードによって実施され得る。方法は、ステップＶＶ０２において開始し、性能向上設定に従ってブロードキャストＰＤＳＣＨを設定する。たとえば、性能向上設定は、上記で説明された実施形態１から６（たとえば、ＴＢＳ決定プロシージャの調整を介して、より低いコードレートを提供する、より低いスペクトル効率を伴うＭＣＳレベルを提供する、時間領域における繰返しを介して信頼性を改善する、周波数領域における繰返しを介して信頼性を改善する、および／または、より大きいＰＲＢ割り当てを取得するために、膨張したＴＢＳを使用する）のうちのいずれか１つまたは複数を含み得る。方法は、ステップＶＶ０４に進み、ブロードキャストＰＤＳＣＨを介して送信を送る。
【０１８０】
図１１（Ｆｉｇｕｒｅ  ＶＶ１）：いくつかの実施形態による方法
【０１８１】
図１１は、特定の実施形態による方法を図示する。いくつかの実施形態では、方法は、その例が上記で説明された、ユーザ機器（ＵＥ）など、無線デバイス（ＷＤ）によって実施され得る。方法は、ステップＶＶ１２において開始し、ネットワークノードから制御情報を受信する。一例として、制御情報は、ＤＣＩまたはＲＲＣシグナリング中で受信され得る。制御情報は、ブロードキャストＰＤＳＣＨのための性能向上設定に関連付けられた１つまたは複数の属性を指示する。任意の好適な属性が制御情報中で指示され得る。一例として、属性は、ＰＤＳＣＨ繰返しが周波数領域および／または時間領域において設定されるかどうかを指示し得る。属性は、繰返しがどのように設定されるか（たとえば、周期性、繰返しＩＤなど）をさらに指示し得る。方法は、ステップＶＶ１４に進み、無線デバイスを、性能向上設定に従ってブロードキャストＰＤＳＣＨを介して送信を受信するように設定し、ステップＶＶ１６に進み、性能向上設定に従って設定されたブロードキャストＰＤＳＣＨを介してネットワークノードから送信を受信する。
【０１８２】
図１２（Ｆｉｇｕｒｅ  ＷＷ）：いくつかの実施形態による仮想化装置
【０１８３】
図１２は、無線ネットワーク（たとえば、図１に示されている無線ネットワーク）における装置ＷＷ００の概略ブロック図を示す。本装置は、無線デバイスまたはネットワークノード（たとえば、図１に示されている無線デバイスＱＱ１１０またはネットワークノードＱＱ１６０）において実装され得る。装置ＷＷ００は、図ＶＶを参照しながら説明された例示的な方法、および、場合によっては、本明細書で開示される任意の他のプロセスまたは方法を行うように動作可能である。また、図ＶＶの方法は、必ずしも装置ＷＷ００のみによって行われるとは限らないことを理解されたい。その方法の少なくともいくつかの動作は、１つまたは複数の他のエンティティによって実施され得る。
【０１８４】
仮想装置ＷＷ００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、ＰＤＳＣＨ設定ユニットＷＷ０２、ＰＤＳＣＨ送信ユニットＷＷ０４、および装置ＷＷ００の任意の他の好適なユニットに、本開示の１つまたは複数の実施形態による、対応する機能を実施させるために使用され得る。
【０１８５】
図１２に示されているように、装置ＷＷ００は、ＰＤＳＣＨ設定ユニットＷＷ０２とＰＤＳＣＨ送信ユニットＷＷ０４とを含む。ＰＤＳＣＨ設定ユニットＷＷ０２は、性能向上設定に従ってブロードキャストＰＤＳＣＨを設定するように設定される。性能向上設定は、上記で説明された実施形態１から６のうちのいずれか１つまたは複数を含み得る。たとえば、いくつかの実施形態では、ＰＤＳＣＨ設定ユニットＷＷ０２は、ＴＢＳ決定プロシージャを調整して、より低いコードレートを提供し（たとえば、実施形態１）、および／またはより大きいＰＲＢ割り当てを取得するためにＴＢＳを膨張させる（たとえば、実施形態６）、ＴＢＳモジュール［Ａ］を備え得る。いくつかの実施形態では、ＰＤＳＣＨ設定ユニットＷＷ０２は、より低いスペクトル効率を伴うＭＣＳレベルを提供する（たとえば、実施形態２）ためのＭＣＳモジュール［Ｂ］を備え得る。いくつかの実施形態では、ＰＤＳＣＨ設定ユニットＷＷ０２は、時間領域における繰返しを設定し（たとえば、実施形態３または４）、および／または周波数領域における繰返しを設定する（たとえば、実施形態５）ための繰返し方式モジュール［Ｃ］を備え得る。ＰＤＳＣＨ送信ユニットＷＷ０４は、性能向上設定に従ってブロードキャストＰＤＳＣＨ上で送信を送る。
【０１８６】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１８７】
いくつかの実施形態では、コンピュータプログラム、コンピュータプログラム製品またはコンピュータ可読記憶媒体は、コンピュータ上で実行されたとき、本明細書で開示される実施形態のうちのいずれかを実施する命令を備える。さらなる例では、命令は、信号またはキャリア上で搬送され、それはコンピュータ上で実行可能であり、実行されたとき、本明細書で開示される実施形態のうちのいずれかを実施する。
【０１８８】
例示的な実施形態
グループＡの実施形態
１．  無線デバイスによって実施される方法であって、方法が、
−  性能向上設定に従って設定されたブロードキャスト物理ダウンリンク共有チャネル（ＰＤＳＣＨ）を介してネットワークノードから送信を受信すること
を含む、方法。
２．  無線デバイスを、性能向上設定に従ってブロードキャストＰＤＳＣＨを介して送信を受信するように設定することをさらに含む、実施形態１に記載の方法。
３．  性能向上設定に関連付けられた１つまたは複数の属性を指示する制御情報を受信することをさらに含む、実施形態１または２に記載の方法。
４．
−  ユーザデータを提供することと、
−  基地局への送信を介してユーザデータをホストコンピュータにフォワーディングすることと
をさらに含む、実施形態１から３のいずれか１つに記載の方法。
【０１８９】
グループＢの実施形態
５．  基地局によって実施される方法であって、方法が、
−  性能向上設定に従ってブロードキャスト物理ダウンリンク共有チャネル（ＰＤＳＣＨ）を設定することと、
−  ブロードキャストＰＤＳＣＨを介して送信を送ることと
を含む、方法。
６．  性能向上設定に関連付けられた１つまたは複数の属性を指示するダウンリンク制御情報（ＤＣＩ）を送ることをさらに含む、実施形態５に記載の方法。
７．  性能向上設定が、通常の設定に関連付けられたコードレートよりも低い、ブロードキャストＰＤＳＣＨのためのコードレートを提供する、実施形態５または６に記載の方法。
８．  コードレートが、トランスポートブロックサイズ（ＴＢＳ）を調整することによって低下される、実施形態５から７のいずれか１つに記載の方法。
９．  トランスポートブロックサイズを調整することは、ブロードキャストＰＤＳＣＨが、第１のタイプの無線ネットワーク一時識別子（ＲＮＴＩ）によってスクランブルされた巡回冗長検査（ＣＲＣ）とともに物理ダウンリンク制御チャネル（ＰＤＣＣＨ）によって割り振られるとき、第１のＴＢＳ決定プロシージャを使用することと、ブロードキャストＰＤＳＣＨが、第２のタイプのＲＮＴＩによってスクランブルされたＣＲＣとともにＰＤＣＣＨによって割り振られるとき、第２のＴＢＳ決定プロシージャを使用することとを含む、実施形態５から８のいずれか１つに記載の方法。
１０．  トランスポートブロックサイズを調整することが、ＴＢＳ決定におけるスケーリングファクタを使用することを含む、実施形態５から９のいずれか１つに記載の方法。
１１．  トランスポートブロックサイズを調整することが、非線形ＴＢＳ調整を行うことを含む、実施形態５から１０のいずれか１つに記載の方法。
１２．  コードレートが、より低いスペクトル効率を伴う変調符号化方式（ＭＣＳ）レベルを使用することによって低下される、実施形態５から１１のいずれか１つに記載の方法。
１３．  ＭＣＳレベルが、拡張モバイルブロードバンド（ｅＭＢＢ）ＰＤＳＣＨのために規定された表に基づいて決定される、実施形態５から１２のいずれか１つに記載の方法。
１４．  ＭＣＳレベルが、特にブロードキャストＰＤＳＣＨのために規定された表に基づいて決定される、実施形態５から１３のいずれか１つに記載の方法。
１５．  性能向上設定が時間領域繰返しを設定する、実施形態５から１４のいずれか１つに記載の方法。
１６．  性能向上設定が周波数領域繰返しを設定する、実施形態５から１５のいずれか１つに記載の方法。
１７．  性能向上設定が、より大きい物理リソースブロック（ＰＲＢ）割り当てを取得するために、膨張したＴＢＳを設定する、実施形態５から１６のいずれか１つに記載の方法。
１８．
−  ユーザデータを取得することと、
−  ユーザデータをホストコンピュータまたは無線デバイスにフォワーディングすることと
をさらに含む、実施形態５から１７のいずれか１つに記載の方法。
【０１９０】
グループＣの実施形態
１９．  無線デバイスであって、
−  グループＡの実施形態のいずれか１つに記載のステップのいずれかを実施するように設定された処理回路要素と、
−  無線デバイスに電力を供給するように設定された電力供給回路要素と
を備える、無線デバイス。
２０．  基地局であって、
−  グループＢの実施形態のいずれか１つに記載のステップのいずれかを実施するように設定された処理回路要素と、
−  無線デバイスに電力を供給するように設定された電力供給回路要素と
を備える、基地局。
２１．  ユーザ機器（ＵＥ）であって、
−  無線信号を送り、受信するように設定されたアンテナと、
−  アンテナおよび処理回路要素に接続され、アンテナと処理回路要素との間で通信される信号を調節するように設定された、無線フロントエンド回路要素と、
−  グループＡの実施形態のいずれか１つに記載のステップのいずれかを実施するように設定された処理回路要素と、
−  処理回路要素に接続され、ＵＥへの情報の入力が処理回路要素によって処理されることを可能にするように設定された、入力インターフェースと、
−  処理回路要素に接続され、処理回路要素によって処理されたＵＥからの情報を出力するように設定された、出力インターフェースと、
−  処理回路要素に接続され、ＵＥに電力を供給するように設定された、バッテリーと
を備える、ユーザ機器（ＵＥ）。
２２．  コンピュータプログラムであって、コンピュータ上で実行されたとき、グループＡの実施形態のいずれか１つに記載のステップのいずれかを実施する命令を備える、コンピュータプログラム。
２３．  コンピュータプログラムを備えるコンピュータプログラム製品であって、コンピュータプログラムが、コンピュータ上で実行されたとき、グループＡの実施形態のいずれか１つに記載のステップのいずれかを実施する命令を備える、コンピュータプログラム製品。
２４．  コンピュータプログラムを備える非一時的コンピュータ可読記憶媒体またはキャリアであって、コンピュータプログラムが、コンピュータ上で実行されたとき、グループＡの実施形態のいずれか１つに記載のステップのいずれかを実施する命令を備える、非一時的コンピュータ可読記憶媒体またはキャリア。
２５．  コンピュータプログラムであって、コンピュータ上で実行されたとき、グループＢの実施形態のいずれか１つに記載のステップのいずれかを実施する命令を備える、コンピュータプログラム。
２６．  コンピュータプログラムを備えるコンピュータプログラム製品であって、コンピュータプログラムが、コンピュータ上で実行されたとき、グループＢの実施形態のいずれか１つに記載のステップのいずれかを実施する命令を備える、コンピュータプログラム製品。
２７．  コンピュータプログラムを備える非一時的コンピュータ可読記憶媒体またはキャリアであって、コンピュータプログラムが、コンピュータ上で実行されたとき、グループＢの実施形態のいずれか１つに記載のステップのいずれかを実施する命令を備える、非一時的コンピュータ可読記憶媒体またはキャリア。
２８．  ホストコンピュータを含む通信システムであって、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  セルラーネットワークが、無線インターフェースと処理回路要素とを有する基地局を備え、基地局の処理回路要素が、グループＢの実施形態のいずれか１つに記載のステップのいずれかを実施するように設定された、通信システム。
２９．  基地局をさらに含む、実施形態２８に記載の通信システム。
３０．  ＵＥをさらに含み、ＵＥが基地局と通信するように設定された、実施形態２８または２９に記載の通信システム。
３１．
−  ホストコンピュータの処理回路要素が、ホストアプリケーションを実行し、それによりユーザデータを提供するように設定され、
−  ＵＥが、ホストアプリケーションに関連付けられたクライアントアプリケーションを実行するように設定された処理回路要素を備える、
実施形態２８から３０のいずれか１つに記載の通信システム。
３２．  ホストコンピュータと、基地局と、ユーザ機器（ＵＥ）とを含む通信システムにおいて実装される方法であって、方法が、
−  ホストコンピュータにおいてユーザデータを提供することと、
−  ホストコンピュータにおいて、基地局を備えるセルラーネットワークを介してＵＥにユーザデータを搬送する送信を始動することであって、基地局が、グループＢの実施形態のいずれか１つに記載のステップのいずれかを実施する、送信を始動することと
を含む、方法。
３３．  基地局においてユーザデータを送信することをさらに含む、実施形態３２に記載の方法。
３４．  ユーザデータが、ホストコンピュータにおいて、ホストアプリケーションを実行することによって提供され、方法が、ＵＥにおいて、ホストアプリケーションに関連付けられたクライアントアプリケーションを実行することをさらに含む、実施形態３２または３３に記載の方法。
３５．  基地局と通信するように設定されたユーザ機器（ＵＥ）であって、ＵＥが、実施形態３２から３４のいずれか１つを実施するように設定された、無線インターフェースと処理回路要素とを備える、ユーザ機器（ＵＥ）。
３６．  ホストコンピュータを含む通信システムであって、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  ＵＥが、無線インターフェースと処理回路要素とを備え、ＵＥの構成要素が、グループＡの実施形態のいずれか１つに記載のステップのいずれかを実施するように設定された、通信システム。
３７．  セルラーネットワークが、ＵＥと通信するように設定された基地局をさらに含む、実施形態３６に記載の通信システム。
３８．
−  ホストコンピュータの処理回路要素が、ホストアプリケーションを実行し、それによりユーザデータを提供するように設定され、
−  ＵＥの処理回路要素が、ホストアプリケーションに関連付けられたクライアントアプリケーションを実行するように設定された、
実施形態３６または３７に記載の通信システム。
３９．  ホストコンピュータと、基地局と、ユーザ機器（ＵＥ）とを含む通信システムにおいて実装される方法であって、方法が、
−  ホストコンピュータにおいてユーザデータを提供することと、
−  ホストコンピュータにおいて、基地局を備えるセルラーネットワークを介してＵＥにユーザデータを搬送する送信を始動することであって、ＵＥが、グループＡの実施形態のいずれか１つに記載のステップのいずれかを実施する、送信を始動することと
を含む、方法。
４０．  ＵＥにおいて、基地局からユーザデータを受信することをさらに含む、実施形態３９に記載の方法。
４１．  ホストコンピュータを含む通信システムであって、
−  ユーザ機器（ＵＥ）から基地局への送信から発生したユーザデータを受信するように設定された通信インターフェース
を備え、
−  ＵＥが、無線インターフェースと処理回路要素とを備え、ＵＥの処理回路要素が、グループＡの実施形態のいずれか１つに記載のステップのいずれかを実施するように設定された、通信システム。
４２．  ＵＥをさらに含む、実施形態４１に記載の通信システム。
４３．  基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを備える、実施形態４１または４２に記載の通信システム。
４４．
−  ホストコンピュータの処理回路要素が、ホストアプリケーションを実行するように設定され、
−  ＵＥの処理回路要素が、ホストアプリケーションに関連付けられたクライアントアプリケーションを実行し、それによりユーザデータを提供するように設定された、
実施形態４１から４３のいずれか１つに記載の通信システム。
４５．
−  ホストコンピュータの処理回路要素が、ホストアプリケーションを実行し、それにより要求データを提供するように設定され、
−  ＵＥの処理回路要素が、ホストアプリケーションに関連付けられたクライアントアプリケーションを実行し、それにより要求データに応答してユーザデータを提供するように設定された、
実施形態４１から４４のいずれか１つに記載の通信システム。
４６．  ホストコンピュータと、基地局と、ユーザ機器（ＵＥ）とを含む通信システムにおいて実装される方法であって、方法は、
−  ホストコンピュータにおいて、ＵＥから基地局に送信されたユーザデータを受信することであって、ＵＥが、グループＡの実施形態のいずれか１つに記載のステップのいずれかを実施する、ユーザデータを受信すること
を含む、方法。
４７．  ＵＥにおいて、基地局にユーザデータを提供することをさらに含む、実施形態４６に記載の方法。
４８．
−  ＵＥにおいて、クライアントアプリケーションを実行し、それにより、送信されるべきユーザデータを提供することと、
−  ホストコンピュータにおいて、クライアントアプリケーションに関連付けられたホストアプリケーションを実行することと
をさらに含む、実施形態４６または４７に記載の方法。
４９．
−  ＵＥにおいて、クライアントアプリケーションを実行することと、
−  ＵＥにおいて、クライアントアプリケーションへの入力データを受信することであって、入力データが、ホストコンピュータにおいて、クライアントアプリケーションに関連付けられたホストアプリケーションを実行することによって提供される、入力データを受信することと
をさらに含み、
−  送信されるべきユーザデータが、入力データに応答してクライアントアプリケーションによって提供される、実施形態４６から４８のいずれか１つに記載の方法。
５０．  ホストコンピュータを含む通信システムであって、ホストコンピュータが、ユーザ機器（ＵＥ）から基地局への送信から発生したユーザデータを受信するように設定された通信インターフェースを備え、基地局が、無線インターフェースと処理回路要素とを備え、基地局の処理回路要素が、グループＢの実施形態のいずれか１つに記載のステップのいずれかを実施するように設定された、通信システム。
５１．  基地局をさらに含む、実施形態５０に記載の通信システム。
５２．  ＵＥをさらに含み、ＵＥが基地局と通信するように設定された、実施形態５０または５１に記載の通信システム。
５３．
−  ホストコンピュータの処理回路要素が、ホストアプリケーションを実行するように設定され、
−  ＵＥが、ホストアプリケーションに関連付けられたクライアントアプリケーションを実行し、それにより、ホストコンピュータによって受信されるべきユーザデータを提供するように設定された、
実施形態５０から５２のいずれか１つに記載の通信システム。
５４．  ホストコンピュータと、基地局と、ユーザ機器（ＵＥ）とを含む通信システムにおいて実装される方法であって、方法は、
−  ホストコンピュータにおいて、基地局から、基地局がＵＥから受信した送信から発生したユーザデータを受信することであって、ＵＥが、グループＡの実施形態のいずれか１つに記載のステップのいずれかを実施する、ユーザデータを受信すること
を含む、方法。
５５．  基地局において、ＵＥからユーザデータを受信することをさらに含む、実施形態５４に記載の方法。
５６．  基地局において、ホストコンピュータへの、受信されたユーザデータの送信を始動することをさらに含む、実施形態５４または５５に記載の方法。
【０１９１】
図１３（Ｆｉｇｕｒｅ  ＹＹ１）は、いくつかの実施形態による、ネットワークノードによって実施される第２の例示的な方法ＹＹ１００を示す。方法ＹＹ１００は、ステップＹＹ１１０において開始し得、ネットワークノードが、制御メッセージ中で、ダウンリンク共有チャネルのための少なくとも変調符号化方式（ＭＣＳ）およびスケーリングファクタを指示する。スケーリングファクタは、１よりも小さい値を指示する。たとえば、制御メッセージは、ＭＣＳと、１／２または１／４のスケーリングファクタとを指示し得る。いくつかの実施形態では、制御メッセージは少なくとも１ビットを含み、少なくとも１ビットは、少なくとも１ビットのうちの１つが第１の値にセットされたときに第１のスケーリングファクタ、たとえば、１／２を使用し、第２の値にセットされたときに第２のスケーリングファクタ、たとえば、１／４を使用するように指示する。いくつかの実施形態では、制御メッセージ中で指示されたスケーリングファクタは、ＰＤＣＣＨ上で搬送される。たとえば、制御メッセージは、ＰＤＣＣＨ上で送信されたＤＣＩであり得る。
【０１９２】
いくつかの実施形態では、制御メッセージは、共有ダウンリンクチャネル送信を向上させ得るさらなる指示を指示し得る。たとえば、いくつかの実施形態では、制御メッセージは、時間および／または周波数領域繰返しを指示する。
【０１９３】
ステップＹＹ１２０において、制御メッセージはユーザ機器（ＵＥ）に送られる。制御メッセージは、共有ダウンリンクチャネルのためのトランスポートブロックサイズ（ＴＢＳ）の決定を可能にする。いくつかの実施形態では、制御メッセージは、ＵＥが、少なくともＭＣＳおよびスケーリングファクタに基づいて情報ビットの中間数を決定することを可能にする。ビットの中間数に基づいて、ＵＥはＴＢＳを決定し得る。
【０１９４】
方法ＹＹ１００は追加のステップを含み得る。いくつかの実施形態では、ネットワークノードは、ステップＹＹ１３０に示されているように、ＴＢＳに少なくとも部分的に基づいて物理リソースブロックを割り当て得る。たとえば、ネットワークノードは、ＴＢＳを決定し、次いで、ＴＢＳに基づいてＰＲＢを割り当て得る。したがって、ＰＲＢは、ＴＢＳを調整することによる、物理ダウンリンクチャネルのための性能向上を反映し得る。
【０１９５】
図１４（Ｆｉｇｕｒｅ  ＹＹ２）は、いくつかの実施形態による、ネットワークノードによって実施される第３の例示的な方法ＹＹ２００を示す。方法ＹＹ２００は、ステップＹＹ２０５とステップＹＹ２１０とのうちの１つから開始し得る。いくつかの実施形態では、方法ＹＹ２００は、ステップ２０５から開始し、特にＰＤＳＣＨのために規定された表または表エントリに基づいて、制御メッセージ中で指示すべきＭＣＳが決定される。たとえば、特に、他のチャネルのための表よりも低いスペクトル効率を有するエントリを有するＰＤＳＣＨのための、ＭＣＳの表が構築および／または使用され得る。別の例として、ＭＣＳの表が、より低いスペクトル効率を有するＰＤＳＣＨのためにのみ使用されるエントリを有し得る。特に規定された表または表エントリは、たとえば、ＰＤＳＣＨ上でネットワークノードと通信する無線デバイスによって決定されたＴＢＳを改変することによって、ＰＤＳＣＨ上での送信を向上させるために使用され得る。
【０１９６】
代替的に、いくつかの実施形態では、方法ＹＹ２００は、ステップＹＹ２１０から開始し、拡張モバイルブロードバンド（ｅＭＢＢ）ＰＤＳＣＨのために規定された表に基づいて、制御メッセージ中で指示すべきＭＣＳを決定する。たとえば、ＭＣＳは、より低いスペクトル効率に関連付けられたｅＭＢＢのために規定された表のある部分から選定され得る。このようにして、ネットワークノードは、制御メッセージ中で使用されるべきＭＣＳを決定し得、ＭＣＳは、ＰＤＳＣＨ上のＴＢＳを決定するために、無線デバイスによって使用され得る。
【０１９７】
ステップＹＹ２２０およびＹＹ２３０は、それぞれ、方法ＹＹ１００のステップＹＹ１１０およびＹＹ１２０に関して上記で説明された同様の様式で行われ得る。たとえば、制御メッセージ中で指示されたＭＣＳは、ｅＭＢＢ表、あるいは特にＰＤＳＣＨのための規定された表または表エントリから決定されたＭＣＳであり得る。同様に、ＵＥは、ＴＢＳを決定するために、スケーリングファクタとともにＭＣＳを使用し得る。より低いスペクトル効率を有するＭＣＳが選定される例では、ＴＢＳは、より大きくなるように選定され、それにより共有ダウンリンクチャネル上での送信を改善し得る。
【０１９８】
図１５（Ｆｉｇｕｒｅ  ＹＹ３）は、いくつかの実施形態による、無線デバイスによって実施される第２の例示的な方法ＹＹ３００を示す。方法ＹＹ３００は、ステップＹＹ３１０から開始し得、無線デバイスが、制御メッセージを受信する。制御メッセージは、ダウンリンク共有チャネルのための少なくともＭＣＳおよびスケーリングファクタを指示する。スケーリングファクタは、１よりも小さい値を指示する。たとえば、ネットワークノードが、ＭＣＳおよびスケーリングファクタを決定し、無線デバイスに、ブロードキャストとして制御メッセージを送り得る。
【０１９９】
制御メッセージを受信した後に、ステップＹＹ３２０において、無線デバイスは、制御メッセージ中で指示されたＭＣＳおよびスケーリングファクタに基づいてトランスポートブロックサイズ（ＴＢＳ）を決定し得る。たとえば、無線デバイスは、ＰＲＢ内にダウンリンク共有チャネルのために割り当てられたリソースエレメントの数を決定し得る。この決定は、情報ビットの中間数など、計算において使用される値のうちの１つにスケーリングファクタを乗算することによって、調整され得る。さらに、無線デバイスは、ＭＣＳをさらに決定するために、ＭＣＳ（および／またはＭＣＳのインデックス）をも使用し得る。いくつかの実施形態では、スケーリングファクタが１よりも小さいことは、スケーリングファクタ（または１のスケーリングファクタ）なしでＴＢＳを決定することに対して、ＴＢＳを膨張させる。ＴＢＳを増加させることによって、ダウンリンク共有チャネル通信は向上され得る。
【０２００】
いくつかの実施形態では、方法ＹＹ３００は、追加の随意のステップを含む。いくつかの実施形態では、ステップＹＹ３３０において、無線デバイスは、決定されたＴＢＳに少なくとも部分的に基づいて物理リソースブロック割り当てを取得する。無線デバイスは、次いで、ＰＲＢ割り当てを取得し得る。いくつかの実施形態では、ＴＢＳは膨張させられ、それによりネットワークノードにおいてより大きいＰＲＢ割り当てを生じる。より大きいＰＲＢ割り当ては、ダウンリンク共有チャネル上で、より低いコードレートでまたはより高い冗長性で通信するために使用され得る。したがって、ダウンリンク共有チャネルは向上され得る。
【０２０１】
図１６（Ｆｉｇｕｒｅ  ＹＹ４）は、いくつかの実施形態による、無線デバイスによって実施される第３の例示的な方法ＹＹ４００を示す。方法ＹＹ４００は、方法ＹＹ３００と同様に開始し得、ステップＹＹ４１０およびＹＹ４２０が、それぞれ、ＹＹ３１０およびＹＹ３２０に対応する。いくつかの実施形態では、ＹＹ４００は、制御メッセージ中で指示されたＭＣＳおよびスケーリングファクタに基づいて決定されたＴＢＳに基づいてダウンリンク共有チャネルのトランスポートブロックを復号する随意のステップＹＹ４３０をさらに含む。たとえば、ネットワークノードは、無線デバイスに割り当てられたリソースブロックに基づいてダウンリンク共有チャネル上でデータまたは制御メッセージングを送信し得る。無線デバイスは、その送信を受信し、無線デバイスによって決定されたＴＢＳに基づいてその送信を復号し得る。このようにして、無線デバイスは、ＭＣＳおよびスケーリングファクタに基づいて決定されたＴＢＳに基づいてダウンリンク共有チャネル上でより高品質の送信を受信し得る。
【０２０２】
図１３〜図１６に図示されている方法ＹＹ１００、ＹＹ２００、ＹＹ３００およびＹＹ４００のいずれに対しても、修正、追加、または省略が行われ得る。いかなるステップも、並列にまたは任意の好適な順序で実施され得る。たとえば、いくつかの実施形態では、方法ＹＹ１００、ＹＹ２００、ＹＹ３００およびＹＹ４００の１つまたは複数のステップが、異なる性能コーティングおよび／または別個の蛍光レイヤのために繰り返され得る。さらに、方法ＹＹ１００、ＹＹ２００、ＹＹ３００およびＹＹ４００は、より多くの、より少数の、または他のステップを含み得る。さらに、方法ＹＹ１００、ＹＹ２００、ＹＹ３００およびＹＹ４００のステップまたはその実施形態のうちの１つまたは複数が、ネットワークノードＱＱ１６０、ＱＱ３３０、ＱＱ４１２、ＱＱ５２０または無線デバイスＱＱ１１０、ＱＱ２００、ＱＱ３３０、ＱＱ４９１、ＱＱ４９２、ＱＱ５３０の任意の好適な構成要素または構成要素の組合せ、あるいは本明細書で説明される任意の他の構成要素によって実施され得る。
【０２０３】
上記で説明されたように、本開示のいくつかの実施形態は、３ＧＰＰ  ＴＳ３８．２１４のセクション５．１．３を修正することによって、実装され得る。以下の段落は、たとえば、以下で、より最近のバージョンＶ１５．２．０において示されているように、本開示のいくつかの態様がどのようにセクション５．１．３に含められ得るかの一例を提供する。
５．１．３  変調次数、ターゲットコードレート、冗長バージョンおよびトランスポートブロックサイズ決定
物理ダウンリンク共有チャネルにおける変調次数、ターゲットコードレート、および（１つまたは複数の）トランスポートブロックサイズを決定するために、ＵＥは、最初に、
−  サブクローズ５．１．３．１において規定されているプロシージャに基づいて、変調次数（Ｑｍ）およびターゲットコードレート（Ｒ）を決定するために、ＤＣＩ中の５ビットの変調符号化方式フィールド（ＩＭＣＳ）を読み取り、
−  冗長バージョンを決定するために、ＤＣＩ中の冗長バージョンフィールド（ｒｖ）を読み取るものとし、
第２に、
−  ＵＥは、サブクローズ５．１．３．２において規定されているプロシージャに基づいて、トランスポートブロックサイズを決定するために、レイヤの数（υ）、レートマッチングの前の割り当てられたＰＲＢの総数（ｎＰＲＢ）を使用するものとする。
ＵＥは、有効チャネルコードレートが０．９５よりも高い場合、初期送信におけるトランスポートブロックを復号することをスキップし得、ここで、有効チャネルコードレートは、（ＣＲＣビットを含む）ダウンリンク情報ビットの数をＰＤＳＣＨ上の物理チャネルビットの数で除算したものとして規定される。ＵＥが復号をスキップした場合、物理レイヤは、トランスポートブロックが正常に復号されていないことを上位レイヤに指示する。
５．１．３．１  変調次数およびターゲットコードレート決定
Ｃ−ＲＮＴＩ、ｎｅｗ−ＲＮＴＩ、ＴＣ−ＲＮＴＩ、ＣＳ−ＲＮＴＩ、ＳＩ−ＲＮＴＩ、ＲＡ−ＲＮＴＩ、またはＰ−ＲＮＴＩによってスクランブルされたＣＲＣとともにＤＣＩフォーマット１＿０またはフォーマット１＿１を伴うＰＤＣＣＨによってスケジュールされたＰＤＳＣＨでは、
ｉｆ  ＰＤＳＣＨ−Ｃｏｎｆｉｇによって与えられる上位レイヤパラメータｍｃｓ−Ｔａｂｌｅが「ｑａｍ２５６」にセットされ、ＰＤＳＣＨが、ＤＣＩフォーマット１＿１を伴うＰＤＣＣＨによってスケジュールされ、ＣＲＣが、Ｃ−ＲＮＴＩまたはＣＳ−ＲＮＴＩによってスクランブルされる、
−  ＵＥは、物理ダウンリンク共有チャネルにおいて使用される変調次数（Ｑｍ）およびターゲットコードレート（Ｒ）を決定するために、ＩＭＣＳおよび表５．１．３．１−２を使用するものとする。
ｅｌｓｅｉｆ  ＵＥにｎｅｗ−ＲＮＴＩが設定されず、ＰＤＳＣＨ−Ｃｏｎｆｉｇによって与えられる上位レイヤパラメータｍｃｓ−Ｔａｂｌｅが「ｑａｍ６４ＬｏｗＳＥ」にセットされ、ＰＤＳＣＨがＣ−ＲＮＴＩでスケジュールされ、ＰＤＳＣＨが、ＵＥ固有探索空間においてＰＤＣＣＨによって割り振られる、
−  ＵＥは、物理ダウンリンク共有チャネルにおいて使用される変調次数（Ｑｍ）およびターゲットコードレート（Ｒ）を決定するために、ＩＭＣＳおよび表５．１．３．１−３を使用するものとする。
ｅｌｓｅｉｆ  ＵＥにｎｅｗ−ＲＮＴＩが設定され、ＰＤＳＣＨがｎｅｗ−ＲＮＴＩでスケジュールされる、
−  ＵＥは、物理ダウンリンク共有チャネルにおいて使用される変調次数（Ｑｍ）およびターゲットコードレート（Ｒ）を決定するために、ＩＭＣＳおよび表５．１．３．１−３を使用するものとする。
ｅｌｓｅｉｆ  ＵＥに、ＳＰＳ−ｃｏｎｆｉｇによって与えられる上位レイヤパラメータｍｃｓ−Ｔａｂｌｅが設定されず、ＰＤＳＣＨ−Ｃｏｎｆｉｇによって与えられる上位レイヤパラメータｍｃｓ−Ｔａｂｌｅが「ｑａｍ２５６」にセットされ、ＰＤＳＣＨがＣＳ−ＲＮＴＩでスケジュールされ、ＰＤＳＣＨが、ＤＣＩフォーマット１＿１を伴うＰＤＣＣＨによって割り振られる、
−  ＵＥは、物理ダウンリンク共有チャネルにおいて使用される変調次数（Ｑｍ）およびターゲットコードレート（Ｒ）を決定するために、ＩＭＣＳおよび表５．１．３．１−２を使用するものとする。
ｅｌｓｅｉｆ  ＵＥに、「ｑａｍ６４ＬｏｗＳＥ」にセットされた、ＳＰＳ−ｃｏｎｆｉｇによって与えられる上位レイヤパラメータｍｃｓ−Ｔａｂｌｅが設定され、ＰＤＳＣＨがＣＳ−ＲＮＴＩでスケジュールされる、
−  ＵＥは、物理ダウンリンク共有チャネルにおいて使用される変調次数（Ｑｍ）およびターゲットコードレート（Ｒ）を決定するために、ＩＭＣＳおよび表５．１．３．１−３を使用するものとする。
ｅｌｓｅ
−  ＵＥは、物理ダウンリンク共有チャネルにおいて使用される変調次数（Ｑｍ）およびターゲットコードレート（Ｒ）を決定するために、ＩＭＣＳおよび表５．１．３．１−１を使用するものとする。
ｅｎｄ
ＵＥは、Ｐ−ＲＮＴＩ、ＲＡ−ＲＮＴＩ、ＳＩ−ＲＮＴＩおよびＱｍ＞２でスケジュールされたＰＤＳＣＨを復号することが予想されない
2021512557.tif 000035
2021512557.tif 000036
2021512557.tif 000037
５．１．３．２  トランスポートブロックサイズ決定
上位レイヤパラメータｍａｘＮｒｏｆＣｏｄｅＷｏｒｄｓＳｃｈｅｄｕｌｅｄＢｙＤＣＩが、２つのコードワード送信が有効にされたことを指示する場合、トランスポートブロックは、対応するトランスポートブロックについてＩＭＣＳ＝２６である場合およびｒｖｉｄ＝１である場合、ＤＣＩフォーマット１＿１によって無効にされ、他の場合、トランスポートブロックは有効にされる。両方のトランスポートブロックが有効にされた場合、トランスポートブロック１および２は、それぞれ、コードワード０および１にマッピングされる。１つのトランスポートブロックのみが有効にされた場合、有効にされたトランスポートブロックは、常に、第１のコードワードにマッピングされる。
Ｃ−ＲＮＴＩ、ｎｅｗ−ＲＮＴＩ、ＴＣ−ＲＮＴＩ、ＣＳ−ＲＮＴＩ、またはＳＩ−ＲＮＴＩによってスクランブルされたＣＲＣとともにＤＣＩフォーマット１＿０またはフォーマット１＿１を伴うＰＤＣＣＨによって割り振られたＰＤＳＣＨでは、表５．１．３．１−２が使用され、０≦ＩＭＣＳ≦２７である場合、または表５．１．３．１−２以外の表が使用され、０≦ＩＭＣＳ≦２８である場合、ＵＥは、トランスポートブロックがＤＣＩフォーマット１＿１において無効にされる場合を除いて、最初に、以下で指示されているようにＴＢＳを決定するものとする。
１）ＵＥは、最初に、スロット内のＲＥの数（ＮＲＥ）を決定するものとする。
−  ＵＥは、最初に、
2021512557.tif 000038
によってＰＲＢ内にＰＤＳＣＨのために割り当てられたＲＥの数（Ｎ’ＲＥ）を決定し、ここで、
2021512557.tif 000039
は、物理リソースブロック中のサブキャリアの数であり、
2021512557.tif 000040
は、スロット内のＰＤＳＣＨ割り当てのシンボルの数であり、
2021512557.tif 000041
は、ＤＣＩフォーマット１＿１によって指示されるまたはサブクローズ５．１．６．２においてフォーマット１＿０について説明されている、データなしの、ＤＭ−ＲＳ  ＣＤＭグループのオーバーヘッドを含む、スケジュールされた持続時間中のＰＲＢごとのＤＭ−ＲＳのためのＲＥの数であり、
2021512557.tif 000042
は、ＰＤＳＣＨ−ＳｅｒｖｉｎｇＣｅｌｌＣｏｎｆｉｇ中の上位レイヤパラメータｘＯｖｅｒｈｅａｄによって設定されるオーバーヘッドである。ＰＤＳＣＨ−ＳｅｒｖｉｎｇＣｅｌｌＣｏｎｆｉｇ中のｘＯｖｅｒｈｅａｄが設定（０、６、１２、または１８からの値）されない場合、
2021512557.tif 000043
は０にセットされる。ＰＤＳＣＨが、ＳＩ−ＲＮＴＩ、ＲＡ−ＲＮＴＩまたはＰ−ＲＮＴＩによってスクランブルされたＣＲＣとともにＰＤＣＣＨによってスケジュールされた場合、
2021512557.tif 000044
は、０であると仮定される。
−  ＵＥは、ＮＲＥ＝ｍｉｎ（１５６，Ｎ’ＲＥ）・ｎＰＲＢによって、ＰＤＳＣＨのために割り当てられたＲＥの総数（ＮＲＥ）を決定し、ここで、ｎＰＲＢは、ＵＥのための割り当てられたＰＲＢの総数である。
２）情報ビットの中間数（Ｎｉｎｆｏ）がＮｉｎｆｏ＝ＮＲＥ・Ｒ・Ｑｍ・υによって取得される。
Ｉｆ  Ｎｉｎｆｏ≦３８２４
ＴＢＳ決定の次のステップとしてステップ３を使用する
ｅｌｓｅ
ＴＢＳ決定の次のステップとしてステップ４を使用する
ｅｎｄ  ｉｆ
３）Ｎｉｎｆｏ≦３８２４であるとき、ＴＢＳは以下のように決定される。
−  情報ビットの量子化された中間数
2021512557.tif 000045
ここで、
2021512557.tif 000046
である。
−  Ｎ’ｉｎｆｏ以上である最も近いＴＢＳを見つけるために、表５．１．３．２−２を使用する。
2021512557.tif 000047
４）Ｎｉｎｆｏ＞３８２４であるとき、ＴＢＳは以下のように決定される。
−  情報ビットの量子化された中間数
2021512557.tif 000048
ここで、
2021512557.tif 000049
であり、次に最も大きい整数に向かってラウンド関数におけるタイブレークが行われる。
−  ｉｆ  Ｒ≦１／４
2021512557.tif 000050
ここで
2021512557.tif 000051
ｅｌｓｅ
ｉｆ  Ｎ’ｉｎｆｏ＞８４２４
2021512557.tif 000052
ここで
2021512557.tif 000053
ｅｌｓｅ
2021512557.tif 000054
ｅｎｄ  ｉｆ
ｅｎｄ  ｉｆ
ｅｌｓｅ  ｉｆ  表５．１．３．１−２が使用され、２８≦ＩＭＣＳ≦３１である、
−  ＴＢＳは、０≦ＩＭＣＳ≦２７を使用する同じトランスポートブロックのための最近のＰＤＣＣＨにおいてトランスポートされたＤＣＩから決定されるものと仮定される。０≦ＩＭＣＳ≦２７を使用する同じトランスポートブロックのためのＰＤＣＣＨがない場合、および同じトランスポートブロックのための初期ＰＤＳＣＨが半永続的にスケジュールされる場合、ＴＢＳは、直近の半永続的スケジューリング割り振りＰＤＣＣＨから決定されるものとする。
ｅｌｓｅ
−  ＴＢＳは、０≦ＩＭＣＳ≦２８を使用する同じトランスポートブロックのための最近のＰＤＣＣＨにおいてトランスポートされたＤＣＩから決定されるものと仮定される。０≦ＩＭＣＳ≦２８を使用する同じトランスポートブロックのためのＰＤＣＣＨがない場合、および同じトランスポートブロックのための初期ＰＤＳＣＨが半永続的にスケジュールされる場合、ＴＢＳは、直近の半永続的スケジューリング割り振りＰＤＣＣＨから決定されるものとする。
Ｐ−ＲＮＴＩまたはＲＡ−ＲＮＴＩによってスクランブルされたＣＲＣとともにＤＣＩフォーマット１＿０を伴うＰＤＣＣＨによって割り振られたＰＤＳＣＨでは、ＴＢＳ決定はステップ１〜４に従い、ステップ２における以下の修正があり、すなわち、スケーリングＮｉｎｆｏ＝Ｓ・ＮＲＥ・Ｒ・Ｑｍ・υが、Ｎｉｎｆｏの計算において適用され、ここで、スケーリングファクタは、表５．１．３．２−３の場合のように、ＤＣＩ中のＴＢスケーリングフィールドに基づいて決定される。
2021512557.tif 000055
ＰＤＣＣＨ上でシグナリングされたＮＤＩおよびＨＡＲＱプロセスＩＤ、ならびに上記で決定されたＴＢＳは、上位レイヤに報告されるものとする。
【０２０４】
上記の段落は、本開示のいくつかの態様がどのように３ＧＰＰ  ＴＳ３８．２１４  Ｖ１５．０．１のセクション５．１．３に含められ得るかの一例を提供する。上記の例では、ＤＣＩは、変調符号化方式を決定するために読み取られ得るＩＭＣＳフィールドと、（たとえば、表５．１．３．２−３に従って）スケーリングファクタＳを決定するために読み取られ得るＴＢスケーリングフィールドとを含む。いくつかの実施形態では、３ＧＰＰ技術仕様のセクション５．１．３に基づく上記の例からのＩＭＣＳおよびＴＢスケーリングフィールドは、本明細書で開示される方法を実施するときに使用され得る。たとえば、３ＧＰＰ技術仕様のセクション５．１．３に基づく例からのスケーリングファクタ「Ｓ」は、方法Ａ−１の例など、本明細書の他の例において説明されるスケーリングファクタ「α」として使用され得る。
【０２０５】
別の例として、図１３および図１４に関して上記で説明された方法は、制御メッセージ中で、ダウンリンク共有チャネルのための少なくとも（セクション５．１．３のＩＭＣＳフィールドを使用して指示され得る）ＭＣＳおよび（セクション５．１．３のＴＢスケーリングフィールドを使用して指示され得る）スケーリングファクタを指示し得る（たとえば、上記で説明されたステップＹＹ１１０およびＹＹ２２０参照）。図１３および図１４に関して上記で説明された方法は、ＵＥが、共有ダウンリンクチャネルのためのＴＢＳを決定することを可能にするための、セクション５．１．３のＩＭＣＳフィールドおよびＴＢスケーリングフィールドを含む、制御メッセージをＵＥに送り得る（たとえば、上記で説明されたステップＹＹ１２０およびＹＹ２３０参照）。
【０２０６】
別の例として、図１５および図１６に関して上記で説明された方法は、ダウンリンク共有チャネルのための（セクション５．１．３のＩＭＣＳフィールドを使用して指示され得る）ＭＣＳおよび（セクション５．１．３のＴＢスケーリングフィールドを使用して指示され得る）スケーリングファクタを指示する、制御メッセージを受信し得る（たとえば、ステップＹＹ３１０およびＹＹ４１０参照）。図１５および図１６に関して上記で説明された方法は、制御メッセージ中で指示されたＩＭＣＳフィールドおよびＴＢスケーリングフィールドに基づいてＴＢＳを決定し得る（たとえば、ステップＹＹ３２０およびＹＹ４２０参照）。たとえば、無線デバイスは、Ｎｉｎｆｏを計算しながらスケーリングファクタＳを適用することによって、ＴＢＳをスケーリングし得、ここで、スケーリングファクタは、表５．１．３．２−３の場合のように、ＤＣＩ中のＴＢスケーリングフィールドに基づいて決定される。無線デバイスは、さらに、ＩＭＣＳに基づいてＭＣＳを決定し得る。
【０２０７】
本開示は、いくつかの実施形態によって説明されたが、無数の変更、変動、改変、変形、および修正が当業者に示唆され得、本開示は、そのような変更、変動、改変、変形、および修正を、添付の特許請求の範囲の範囲内に入るものとして包含するものとする。
【図１】
2021512557.tif 000056
【図２】
2021512557.tif 000057
【図３】
2021512557.tif 000058
【図４】
2021512557.tif 000059
【図５】
2021512557.tif 000060
【図６】
2021512557.tif 000061
【図７】
2021512557.tif 000062
【図８】
2021512557.tif 000063
【図９】
2021512557.tif 000064
【図１０】
2021512557.tif 000065
【図１１】
2021512557.tif 000066
【図１２】
2021512557.tif 000067
【図１３】
2021512557.tif 000068
【図１４】
2021512557.tif 000069
【図１５】
2021512557.tif 000070
【図１６】
2021512557.tif 000071
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
ネットワークノードによって実施される方法であって、前記方法は、
制御メッセージ中で、共有ダウンリンクチャネルのための少なくとも変調符号化方式（ＭＣＳ）および１よりも小さい値を指示するスケーリングファクタを指示すること（ＹＹ１１０、ＹＹ２２０）と、
ユーザ機器（ＵＥ）に制御メッセージを送ること（ＹＹ１２０、ＹＹ２３０）と
を含み、前記制御メッセージは、前記ＵＥが、少なくとも前記ＭＣＳに基づいて情報ビットの中間数を決定することを可能にし、かつ前記制御メッセージはさらに、前記ＵＥが、前記スケーリングファクタを前記情報ビットの中間数に適用することに少なくとも基づいて、前記共有ダウンリンクチャネルのためのランスポートブロックサイズ（ＴＢＳ）を決定することを可能にする、方法。
【請求項２】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項１に記載の方法。
【請求項３】
前記制御メッセージが、時間または周波数領域繰返しをさらに指示する、請求項１に記載の方法。
【請求項４】
前記制御メッセージ中で指示された前記ＭＣＳが、第３世代パートナーシッププロジェクト（３ＧＰＰ）技術仕様（ＴＳ）３８．２１４バージョン１５．２．０またはそれ以前によるＭＣＳよりも低いスペクトル効率を備える、請求項１に記載の方法。
【請求項５】
拡張モバイルブロードバンド（ｅＭＢＢ）ＰＤＳＣＨのために規定された表に基づいて、前記制御メッセージ中で指示すべき前記ＭＣＳを決定すること（ＹＹ２１０）をさらに含む、請求項１に記載の方法。
【請求項６】
特に前記ＰＤＳＣＨのために規定された表または表エントリに基づいて、前記制御メッセージ中で指示すべき前記ＭＣＳを決定すること（ＹＹ２０５）をさらに含む、請求項５に記載の方法。
【請求項７】
無線デバイスによって実施される方法であって、前記方法は、
制御メッセージを受信すること（ＹＹ３１０、ＹＹ４１０）であって、前記制御メッセージが、共有ダウンリンクチャネルのための少なくとも変調符号化方式（ＭＣＳ）およびスケーリングファクタを指示し、前記スケーリングファクタが、１よりも小さい値を指示する、制御メッセージを受信すること（ＹＹ３１０、ＹＹ４１０）と、
前記スケーリングファクタを情報ビットの中間数に適用することに少なくとも基づいて、トランスポートブロックサイズ（ＴＢＳ）を決定すること（ＹＹ３２０、ＹＹ４２０）であって、前記情報ビットの中間数は、少なくとも前記ＭＣＳに基づいて決定される、ＴＢＳを決定することと
を含む、方法。
【請求項８】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項７に記載の方法。
【請求項９】
前記制御メッセージが、時間または周波数領域繰返しをさらに指示する、請求項７に記載の方法。
【請求項１０】
前記制御メッセージ中で指示された前記ＭＣＳが、第３世代パートナーシッププロジェクト（３ＧＰＰ）技術仕様（ＴＳ）３８．２１４バージョン１５．２．０またはそれ以前によるＭＣＳよりも低いスペクトル効率を備える、請求項７に記載の方法。
【請求項１１】
前記制御メッセージが、拡張モバイルブロードバンド（ｅＭＢＢ）ＰＤＳＣＨのために規定された表に基づいて前記ＭＣＳを指示する、請求項７に記載の方法。
【請求項１２】
前記制御メッセージが、特に前記ＰＤＳＣＨのために規定された表または表エントリに基づいて前記ＭＣＳを指示する、請求項１１に記載の方法。
【請求項１３】
命令を記憶するように動作可能なメモリ（ＱＱ１８０、ＱＱ３９０−１、ＱＱ３９０−２）と、前記命令を実行するように動作可能な処理回路要素（ＱＱ１７０、ＱＱ３６０、ＱＱ５２８）とを備えるネットワークノード（ＱＱ１６０、ＱＱ３３０、ＱＱ４１２、ＱＱ５２０）であって、前記処理回路要素は、
制御メッセージ中で、共有ダウンリンクチャネルのための少なくとも変調符号化方式（ＭＣＳ）および１よりも小さい値を指示するスケーリングファクタを指示することと、
ユーザ機器（ＵＥ）（ＱＱ１１０、ＱＱ２００、ＱＱ３３０、ＱＱ４９１、ＱＱ４９２、ＱＱ５３０）に制御メッセージを送ることであって、前記制御メッセージは、前記ＵＥが、少なくとも前記ＭＣＳに基づいて情報ビットの中間数を決定することを可能にし、かつ前記制御メッセージはさらに、前記ＵＥが、前記スケーリングファクタを前記情報ビットの中間数に適用することに少なくとも基づいて、前記共有ダウンリンクチャネルのためのランスポートブロックサイズ（ＴＢＳ）を決定することを可能にする、制御メッセージを送ることと
を行うように前記命令を実行する、ネットワークノード（ＱＱ１６０、ＱＱ３３０、ＱＱ４１２、ＱＱ５２０）。
【請求項１４】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項１３に記載のネットワークノード。
【請求項１５】
前記制御メッセージが、時間または周波数領域繰返しをさらに指示する、請求項１３に記載のネットワークノード。
【請求項１６】
前記制御メッセージ中で指示された前記ＭＣＳが、第３世代パートナーシッププロジェクト（３ＧＰＰ）技術仕様（ＴＳ）３８．２１４バージョン１５．２．０またはそれ以前によるＭＣＳよりも低いスペクトル効率を備える、請求項１３に記載のネットワークノード。
【請求項１７】
前記処理回路要素が、拡張モバイルブロードバンド（ｅＭＢＢ）ＰＤＳＣＨのために規定された表に基づいて、前記制御メッセージ中で指示すべき前記ＭＣＳを決定するように前記命令を実行する、請求項１３に記載のネットワークノード。
【請求項１８】
前記前記処理回路要素が、特に前記ＰＤＳＣＨのために規定された表または表エントリに基づいて、前記制御メッセージ中で指示すべき前記ＭＣＳを決定するように前記命令を実行する、請求項１７に記載のネットワークノード。
【請求項１９】
命令を記憶するように動作可能なメモリ（ＱＱ１３０、ＱＱ２１５、ＱＱ３９０−１、ＱＱ３９０−２）と、前記命令を実行するように動作可能な処理回路要素（ＱＱ１２０、ＱＱ２０１、ＱＱ３６０、ＱＱ５３８）とを備える無線デバイス（ＱＱ１１０、ＱＱ２００、ＱＱ３３０、ＱＱ４９１、ＱＱ４９２、ＱＱ５３０）であって、前記処理回路要素は、
制御メッセージを受信することであって、前記制御メッセージが、共有ダウンリンクチャネルのための少なくとも変調符号化方式（ＭＣＳ）およびスケーリングファクタを指示し、前記スケーリングファクタが、１よりも小さい値を指示する、制御メッセージを受信することと、
前記スケーリングファクタを情報ビットの中間数に適用することに少なくとも基づいて、トランスポートブロックサイズ（ＴＢＳ）を決定することであって、前記情報ビットの中間数は、少なくとも前記ＭＣＳに基づいて決定される、ＴＢＳを決定することと
を行うように前記命令を実行する、無線デバイス（ＱＱ１１０、ＱＱ２００、ＱＱ３３０、ＱＱ４９１、ＱＱ４９２、ＱＱ５３０）。
【請求項２０】
前記制御メッセージが少なくとも１ビットを含み、前記少なくとも１ビットは、前記少なくとも１ビットのうちの第１のビットが第１の値にセットされたときに第１のスケーリングファクタを使用し、前記第１のビットが第２の値にセットされたときに第２のスケーリングファクタを使用するように指示する、請求項１９に記載の無線デバイス。
【請求項２１】
前記制御メッセージが、時間または周波数領域繰返しをさらに指示する、請求項１９に記載の無線デバイス。
【請求項２２】
前記制御メッセージ中で指示された前記ＭＣＳが、第３世代パートナーシッププロジェクト（３ＧＰＰ）技術仕様（ＴＳ）３８．２１４バージョン１５．２．０またはそれ以前によるＭＣＳよりも低いスペクトル効率を備える、請求項１９に記載の無線デバイス。
【請求項２３】
前記制御メッセージが、拡張モバイルブロードバンド（ｅＭＢＢ）ＰＤＳＣＨのために規定された表に基づいて前記ＭＣＳを指示する、請求項１９に記載の無線デバイス。
【請求項２４】
前記制御メッセージが、特に前記ＰＤＳＣＨのために規定された表または表エントリに基づいて前記ＭＣＳを指示する、請求項２３に記載の無線デバイス。
【国際調査報告】
2021512557.tif 000072
2021512557.tif 000073